(57)【要約】【課題】１台の光ピックアップから２本のビームを出射し、データ記録層と描画層を積層配置した光ディスクに対し、一方のビームで前記データ記録層にデータ記録を行いながら、同時に他方のビームで前記描画層に可視画像の形成を行う方法において、バッファアンダーラン対策を講じる。【解決手段】データ記録側がバッファアンダーラン接近状態に至ったときは、データ記録および描画の双方を中断し、記録データ用バッファメモリに記録データを補給した後に、データ記録の中断位置から前記データ記録を再開し、該データ記録の再開と同時またはその後に前記可視画像の形成を再開する。描画側がバッファアンダーラン状態に至ったときは、データ記録をそのまま続行した状態で該可視画像の形成を中断し、該画像データ用バッファメモリに画像データを補給した後に該可視画像の形成を再開する。【選択図】図１４
2008033994.tif 000002
【特許請求の範囲】
【請求項１】
１台の光ピックアップから２本のビームを出射し、データ記録層と描画層を積層配置した光ディスクに対し、一方のビームで前記データ記録層にデータ記録を行いながら、同時に他方のビームで前記描画層に可視画像の形成を行う方法において、
前記データ記録に使用する記録データを供給する記録データ供給系統の記録データ用バッファメモリが所定のバッファアンダーラン接近状態に至ったときに、前記データ記録を中断し、これと同時またはその後に前記可視画像の形成を中断し、該記録データ用バッファメモリに記録データを補給した後に、前記データ記録の中断位置から前記データ記録を再開し、かつ該データ記録の再開と同時またはその後に前記可視画像の形成を再開する光ディスク記録・描画方法。
【請求項２】
描画を開始した位置を通りディスク放射方向に延びる仮想的な半直線を描画基準線として、該描画基準線上の位置から前記可視画像の形成を再開する請求項１記載の光ディスク記録・描画方法。
【請求項３】
１台の光ピックアップから２本のビームを出射し、データ記録層と描画層を積層配置した光ディスクに対し、一方のビームで前記データ記録層にデータ記録を行いながら、同時に他方のビームで前記描画層に可視画像の形成を行う方法において、
前記データ記録に使用する記録データを供給する記録データ供給系統の記録データ用バッファメモリが所定のバッファアンダーラン接近状態に至ったときに、前記可視画像の形成をそのまま続行した状態で前記データ記録を中断し、該記録データ用バッファメモリに記録データを補給した後に前記可視画像の形成を中断し、その後前記データ記録の中断位置から前記データ記録を再開し、かつ該データ記録の再開後に前記可視画像の形成を中断した位置またはその先の位置から該可視画像の形成を再開する光ディスク記録・描画方法。
【請求項４】
描画を開始した位置を通りディスク放射方向に延びる仮想的な半直線を描画基準線として、該描画基準線上の位置で前記可視画像の形成を中断し、かつ該中断位置から該可視画像の形成を再開する請求項３記載の光ディスク記録・描画方法。
【請求項５】
１台の光ピックアップから２本のビームを出射し、データ記録層と描画層を積層配置した光ディスクに対し、一方のビームで前記データ記録層にデータ記録を行いながら、同時に他方のビームで前記描画層に可視画像の形成を行う方法において、
前記可視画像の形成に使用する画像データを供給する画像データ供給系統の画像データ用バッファメモリがバッファアンダーラン状態に至ったときに、前記データ記録をそのまま続行した状態で該可視画像の形成を中断し、該画像データ用バッファメモリに画像データを補給した後に該可視画像の形成を再開する光ディスク記録・描画方法。
【請求項６】
前記データ記録を続行し前記可視画像の形成を中断している状態で、前記記録データ用バッファメモリが所定のバッファアンダーラン接近状態に至ったときに、該データ記録を併せて中断し、前記画像データ用バッファメモリに画像データを補給しかつ該記録データ用バッファメモリに記録データを補給した後に、前記データ記録の中断位置から前記データ記録を再開し、かつ該データ記録の再開と同時またはその後に前記可視画像の形成を再開する請求項５記載の光ディスク記録・描画方法。
【請求項７】
１台の光ピックアップから２本のビームを出射し、データ記録層と描画層を積層配置した光ディスクに対し、一方のビームで前記データ記録層にデータ記録を行いながら、同時に他方のビームで前記描画層に可視画像の形成を行う方法において、
前記データ記録に使用する記録データを供給する記録データ供給系統の記録データ用バッファメモリが所定のバッファアンダーラン接近状態に至ったときに、前記データ記録を中断し、これと同時またはその後に前記可視画像の形成を中断し、該記録データ用バッファメモリに記録データを補給した後に、前記データ記録の中断位置から前記データ記録を再開し、かつ該データ記録の再開と同時またはその後に前記可視画像の形成を再開し、かつ、
前記記録データ用バッファメモリが前記バッファアンダーラン接近状態に至ってない状態で、前記可視画像の形成に使用する画像データを供給する画像データ供給系統の画像データ用バッファメモリがバッファアンダーラン状態に至ったときに、前記データ記録をそのまま続行した状態で該可視画像の形成を中断し、該画像データ用バッファメモリに画像データを補給した後に該可視画像の形成を再開する光ディスク記録・描画方法。
【請求項８】
１台の光ピックアップから２本のビームを出射し、データ記録層と描画層を積層配置した光ディスクに対し、一方のビームで前記データ記録層にデータ記録を行いながら、同時に他方のビームで前記描画層に可視画像の形成を行う方法において、
前記データ記録に使用する記録データを供給する記録データ供給系統の記録データ用バッファメモリが所定のバッファアンダーラン接近状態に至ったときに、前記可視画像の形成をそのまま続行した状態で前記データ記録を中断し、該記録データ用バッファメモリに記録データを補給した後に前記可視画像の形成を中断し、その後前記データ記録の中断位置から前記データ記録を再開し、かつ該データ記録の再開後に前記可視画像の形成を中断した位置またはその先の位置から該可視画像の形成を再開し、かつ、
前記記録データ用バッファメモリが前記バッファアンダーラン接近状態に至ってない状態で、前記可視画像の形成に使用する画像データを供給する画像データ供給系統の画像データ用バッファメモリがバッファアンダーラン状態に至ったときに、前記データ記録をそのまま続行した状態で該可視画像の形成を中断し、該画像データ用バッファメモリに画像データを補給した後に該可視画像の形成を再開する光ディスク記録・描画方法。
【請求項９】
２本のビームを出射する光ピックアップと、
光ディスクに記録する記録データを記録データ用バッファメモリを介して供給する記録データ供給系統と、
光ディスクに形成する可視画像の画像データを画像データ用バッファメモリを介して供給する画像データ供給系統と、
前記光ピックアップから出射される一方のビームの強度を前記記録データ供給系統から供給される記録データで変調するデータ記録用ビーム変調手段と、
前記光ピックアップから出射される他方のビームの強度を前記画像データ供給系統から供給される画像データで変調する描画用ビーム変調手段と、
前記記録データ用バッファメモリが所定のバッファアンダーラン接近状態に至ったことを検出する記録データ用バッファアンダーラン接近状態検出手段と、
データ記録層と描画層を積層配置した光ディスクに対し、前記記録データで変調された一方のビームを前記データ記録層に照射してデータ記録を行いながら、同時に前記画像データで変調された他方のビームを前記描画層に照射して可視画像の形成を行い、前記記録データ用バッファアンダーラン接近状態検出手段が前記記録データ用バッファメモリのバッファアンダーラン接近状態を検出したときに、前記データ記録を中断し、これと同時またはその後に前記可視画像の形成を中断し、該記録データ用バッファメモリに記録データを補給した後に、前記データ記録の中断位置から前記データ記録を再開し、かつ該データ記録の再開と同時またはその後に前記可視画像の形成を再開する制御を行う制御手段と
を具備してなる光ディスク記録・描画装置。
【請求項１０】
２本のビームを出射する光ピックアップと、
光ディスクに記録する記録データを記録データ用バッファメモリを介して供給する記録データ供給系統と、
光ディスクに形成する可視画像の画像データを画像データ用バッファメモリを介して供給する画像データ供給系統と、
前記光ピックアップから出射される一方のビームの強度を前記記録データ供給系統から供給される記録データで変調するデータ記録用ビーム変調手段と、
前記光ピックアップから出射される他方のビームの強度を前記画像データ供給系統から供給される画像データで変調する描画用ビーム変調手段と、
前記記録データ用バッファメモリが所定のバッファアンダーラン接近状態に至ったことを検出する記録データ用バッファアンダーラン接近状態検出手段と、
データ記録層と描画層を積層配置した光ディスクに対し、前記記録データで変調された一方のビームを前記データ記録層に照射してデータ記録を行いながら、同時に前記画像データで変調された他方のビームを前記描画層に照射して可視画像の形成を行い、前記記録データ用バッファアンダーラン接近状態検出手段が前記記録データ用バッファメモリのバッファアンダーラン接近状態を検出したときに、前記可視画像の形成をそのまま続行した状態で前記データ記録を中断し、該記録データ用バッファメモリに記録データを補給した後に前記可視画像の形成を中断し、その後前記データ記録の中断位置から前記データ記録を再開し、かつ該データ記録の再開後に前記可視画像の形成を中断した位置またはその先の位置から該可視画像の形成を再開する制御を行う制御手段と
を具備してなる光ディスク記録・描画装置。
【請求項１１】
２本のビームを出射する光ピックアップと、
光ディスクに記録する記録データを記録データ用バッファメモリを介して供給する記録データ供給系統と、
光ディスクに形成する可視画像の画像データを画像データ用バッファメモリを介して供給する画像データ供給系統と、
前記光ピックアップから出射される一方のビームの強度を前記記録データ供給系統から供給される記録データで変調するデータ記録用ビーム変調手段と、
前記光ピックアップから出射される他方のビームの強度を前記画像データ供給系統から供給される画像データで変調する描画用ビーム変調手段と、
前記画像データ用バッファメモリがバッファアンダーラン状態に至ったことを検出する画像データ用バッファアンダーラン状態検出手段と、
データ記録層と描画層を積層配置した光ディスクに対し、前記記録データで変調された一方のビームを前記データ記録層に照射してデータ記録を行いながら、同時に前記画像データで変調された他方のビームを前記描画層に照射して可視画像の形成を行い、前記画像データ用バッファアンダーラン状態検出手段が前記画像データ用バッファメモリのバッファアンダーラン状態を検出したときに、前記データ記録をそのまま続行した状態で該可視画像の形成を中断し、該画像データ用バッファメモリに画像データを補給した後に該可視画像の形成を再開する制御を行う制御手段と
を具備してなる光ディスク記録・描画装置。
【請求項１２】
２本のビームを出射する光ピックアップと、
光ディスクに記録する記録データを記録データ用バッファメモリを介して供給する記録データ供給系統と、
光ディスクに形成する可視画像の画像データを画像データ用バッファメモリを介して供給する画像データ供給系統と、
前記光ピックアップから出射される一方のビームの強度を前記記録データ供給系統から供給される記録データで変調するデータ記録用ビーム変調手段と、
前記光ピックアップから出射される他方のビームの強度を前記画像データ供給系統から供給される画像データで変調する描画用ビーム変調手段と、
前記記録データ用バッファメモリが所定のバッファアンダーラン接近状態に至ったことを検出する記録データ用バッファアンダーラン接近状態検出手段と、
前記画像データ用バッファメモリがバッファアンダーラン状態に至ったことを検出する画像データ用バッファアンダーラン状態検出手段と、
データ記録層と描画層を積層配置した光ディスクに対し、前記記録データで変調された一方のビームを前記データ記録層に照射してデータ記録を行いながら、同時に前記画像データで変調された他方のビームを前記描画層に照射して可視画像の形成を行い、前記記録データ用バッファアンダーラン接近状態検出手段が前記記録データ用バッファメモリのバッファアンダーラン接近状態を検出したときに、前記データ記録を中断し、これと同時またはその後に前記可視画像の形成を中断し、該記録データ用バッファメモリに記録データを補給した後に、前記データ記録の中断位置から前記データ記録を再開し、かつ該データ記録の再開と同時またはその後に前記可視画像の形成を再開する制御を行い、かつ、前記記録データ用バッファアンダーラン接近状態検出手段が前記バッファアンダーラン接近状態を検出していない状態で、前記画像データ用バッファアンダーラン状態検出手段が前記画像データ用バッファメモリのバッファアンダーラン状態を検出したときに、前記データ記録をそのまま続行した状態で該可視画像の形成を中断し、該画像データ用バッファメモリに画像データを補給した後に該可視画像の形成を再開する制御を行う制御手段と
を具備してなる光ディスク記録・描画装置。
【請求項１３】
２本のビームを出射する光ピックアップと、
光ディスクに記録する記録データを記録データ用バッファメモリを介して供給する記録データ供給系統と、
光ディスクに形成する可視画像の画像データを画像データ用バッファメモリを介して供給する画像データ供給系統と、
前記光ピックアップから出射される一方のビームの強度を前記記録データ供給系統から供給される記録データで変調するデータ記録用ビーム変調手段と、
前記光ピックアップから出射される他方のビームの強度を前記画像データ供給系統から供給される画像データで変調する描画用ビーム変調手段と、
前記記録データ用バッファメモリが所定のバッファアンダーラン接近状態に至ったことを検出する記録データ用バッファアンダーラン接近状態検出手段と、
データ記録層と描画層を積層配置した光ディスクに対し、前記記録データで変調された一方のビームを前記データ記録層に照射してデータ記録を行いながら、同時に前記画像データで変調された他方のビームを前記描画層に照射して可視画像の形成を行い、前記記録データ用バッファアンダーラン接近状態検出手段が前記記録データ用バッファメモリのバッファアンダーラン接近状態を検出したときに、前記可視画像の形成をそのまま続行した状態で前記データ記録を中断し、該記録データ用バッファメモリに記録データを補給した後に前記可視画像の形成を中断し、その後前記データ記録の中断位置から前記データ記録を再開し、かつ該データ記録の再開後に前記可視画像の形成を中断した位置またはその先の位置から該可視画像の形成を再開する制御を行い、かつ、前記記録データ用バッファアンダーラン接近状態検出手段が前記バッファアンダーラン接近状態を検出していない状態で、前記画像データ用バッファアンダーラン状態検出手段が前記画像データ用バッファメモリのバッファアンダーラン状態を検出したときに、前記データ記録をそのまま続行した状態で該可視画像の形成を中断し、該画像データ用バッファメモリに画像データを補給した後に該可視画像の形成を再開する制御を行う制御手段と
を具備してなる光ディスク記録・描画装置。
【発明の詳細な説明】
【技術分野】
【０００１】
この発明は、１台の光ピックアップから２本のビームを出射し、データ記録層と描画層を積層配置した光ディスクに対し、一方のビームで前記データ記録層にデータ記録を行いながら、同時に他方のビームで前記描画層に可視画像の形成（描画）を行う（以下これを「同時記録・描画」という）方法および装置に関し、バッファアンダーラン対策を講じたものである。
【背景技術】
【０００２】
記録可能型ＣＤ、記録可能型ＤＶＤ等の光ディスクの盤面に感熱層、感光層等による描画層を形成し、該光ディスクのデータ記録層にデータ記録を行う光ディスク記録装置を光ディスク描画装置として兼用して、光ピックアップから、画像データに応じて変調したレーザ光を前記描画層に照射して、該描画層に描画を行う技術が下記特許文献１に記載されている。特許文献１に記載の技術は１台の光ピックアップから２本のレーザ光を同軸状に出射し、そのうちの１本のレーザ光をデータ記録層に照射しフォーカス制御およびトラッキング制御してデータ記録を行い、該データ記録と並行して該レーザ光でデータ記録層から位置情報を検出し、該検出された位置情報に基づいて、他の１本のレーザ光で描画層の所定位置に描画を行う（すなわち、同時記録・描画を行う）ものである。
【０００３】
【特許文献１】特開２００５−３４６８８６号公報（図２）
【発明の開示】
【発明が解決しようとする課題】
【０００４】
データ記録に使用する記録データは通常ホストコンピュータから光ディスクドライブに転送され、該光ディスクドライブは該記録データをバッファメモリに順次格納しながら、該バッファメモリから順次読み出して、該読み出した記録データに基づきレーザ光を変調してデータ記録を行う。同様に、描画に使用する画像データは通常ホストコンピュータから光ディスクドライブに転送され、該光ディスクドライブは該画像データをバッファメモリに順次格納しながら、該バッファメモリから順次読み出して、該読み出した画像データに基づきレーザ光を変調して描画を行う。
【０００５】
データ記録または描画を行っているときに、ホストコンピュータからバッファメモリへの記録データまたは画像データの転送速度が低下すると、該バッファメモリが空になるいわゆるバッファアンダーランが生じる場合がある。データ記録においてバッファアンダーランが生じると記録失敗となる。そこで、データ記録中はバッファメモリの記録データ量を監視し、該記録データ量が所定量以下に減少した場合にバッファアンダーランの危険性が高まった状態（バッファアンダーラン接近状態）と判断し、データ記録を一旦中断してバッファアンダーランを未然に防止し、該バッファメモリの記録データ量が十分な量に回復するのを待って、該中断位置からデータ記録を再開するようにしている。同時記録・描画においても、データ記録側または描画側でバッファアンダーランが生じる危険性があり、その対策を講じる必要がある。
【０００６】
この発明は、上述の点に鑑みてなされたもので、同時記録・描画時のバッファアンダーラン対策を講じた光ディスク記録・描画方法および光ディスク記録・描画装置を提供しようとするものである。
【課題を解決するための手段】
【０００７】
この発明の光ディスク記録・描画方法は、１台の光ピックアップから２本のビームを出射し、データ記録層と描画層を積層配置した光ディスクに対し、一方のビームで前記データ記録層にデータ記録を行いながら、同時に他方のビームで前記描画層に可視画像の形成を行う方法において、前記データ記録に使用する記録データを供給する記録データ供給系統の記録データ用バッファメモリが所定のバッファアンダーラン接近状態に至ったときに、前記データ記録を中断し、これと同時またはその後に前記可視画像の形成を中断し、該記録データ用バッファメモリに記録データを補給した後に、前記データ記録の中断位置から前記データ記録を再開し、かつ該データ記録の再開と同時またはその後に前記可視画像の形成を再開するものである。
【０００８】
この光ディスク描画方法によれば、同時記録・描画時に記録データ用バッファメモリが所定のバッファアンダーラン接近状態に至ったときに、データ記録を中断し、これと同時またはその後に可視画像の形成を中断し、該記録データ用バッファメモリに記録データを補給した後に、前記データ記録の中断位置から前記データ記録を再開するようにしたので、記録データの連続性を保って光ディスクにデータ記録を行うことができる。また、データ記録の再開と同時またはその後に可視画像の形成を再開するようにしたので、形成される可視画像の連続性を保って（またはほぼ保って）光ディスクに該可視画像の形成を行うことができる。
【０００９】
この光ディスク描画方法は、描画を開始した位置を通りディスク放射方向に延びる仮想的な半直線を描画基準線として、該描画基準線上の位置から前記可視画像の形成を再開することができる。
【００１０】
この発明の別の光ディスク記録・描画方法は１台の光ピックアップから２本のビームを出射し、データ記録層と描画層を積層配置した光ディスクに対し、一方のビームで前記データ記録層にデータ記録を行いながら、同時に他方のビームで前記描画層に可視画像の形成を行う方法において、前記データ記録に使用する記録データを供給する記録データ供給系統の記録データ用バッファメモリが所定のバッファアンダーラン接近状態に至ったときに、前記可視画像の形成をそのまま続行した状態で前記データ記録を中断し、該記録データ用バッファメモリに記録データを補給した後に前記可視画像の形成を中断し、その後前記データ記録の中断位置から前記データ記録を再開し、かつ該データ記録の再開後に前記可視画像の形成を中断した位置またはその先の位置から該可視画像の形成を再開するものである。
【００１１】
この光ディスク描画方法によれば、同時記録・描画時に記録データ用バッファメモリが所定のバッファアンダーラン接近状態に至ったときに、可視画像の形成をそのまま続行した状態でデータ記録を中断し、該記録データ用バッファメモリに記録データを補給した後に可視画像の形成を中断し、その後前記データ記録の中断位置からデータ記録を再開するようにしたので、記録データの連続性を保って光ディスクにデータ記録を行うことができる。また、データ記録の再開後に可視画像の形成を中断した位置またはその先の位置から該可視画像の形成を再開するようにしたので、形成される可視画像の連続性を保って（またはほぼ保って）光ディスクに該可視画像の形成を行うことができる。
【００１２】
この光ディスク描画方法は、描画を開始した位置を通りディスク放射方向に延びる仮想的な半直線を描画基準線として、該描画基準線上の位置で前記可視画像の形成を中断し、かつ該中断位置から該可視画像の形成を再開することができる。
【００１３】
この発明のさらに別の光ディスク記録・描画方法は、１台の光ピックアップから２本のビームを出射し、データ記録層と描画層を積層配置した光ディスクに対し、一方のビームで前記データ記録層にデータ記録を行いながら、同時に他方のビームで前記描画層に可視画像の形成を行う方法において、前記可視画像の形成に使用する画像データを供給する画像データ供給系統の画像データ用バッファメモリがバッファアンダーラン状態に至ったときに、前記データ記録をそのまま続行した状態で該可視画像の形成を中断し、該画像データ用バッファメモリに画像データを補給した後に該可視画像の形成を再開するものである。
【００１４】
この光ディスク描画方法によれば、同時記録・描画時に画像データ用バッファメモリがバッファアンダーラン状態に至って可視画像の形成を中断しても、データ記録は中断しないので、記録データの連続性を確実に保って光ディスクにデータ記録を行うことができる。また、可視画像の形成が中断されている区間は可視画像が形成されないことになるが、画像形成のディスク径方向ピッチが短ければ、可視画像の欠落幅を微小幅にして、人の目には目立たなくすることができる。したがって、形成される可視画像の連続性をほぼ保って光ディスクに該可視画像の形成を行うことができる。
【００１５】
この光ディスク描画方法において、前記データ記録を続行し前記可視画像の形成を中断している状態で、前記記録データ用バッファメモリが所定のバッファアンダーラン接近状態に至ったときに、該データ記録を併せて中断し、前記画像データ用バッファメモリに画像データを補給しかつ該記録データ用バッファメモリに記録データを補給した後に、前記データ記録の中断位置から前記データ記録を再開し、かつ該データ記録の再開と同時またはその後に前記可視画像の形成を再開することができる。これによれば、データ記録を続行し可視画像の形成を中断しているときに、データ記録側でバッファアンダーラン接近状態に至った場合においても、記録データの連続性を保って光ディスクにデータ記録を行うことができる。
【００１６】
この発明のさらに別の光ディスク記録・描画方法は、前記記録データ用バッファメモリが所定のバッファアンダーラン接近状態に至ったときの処理と、前記画像データ用バッファメモリがバッファアンダーラン状態に至ったときの処理を複合させたものである。すなわち、この方法は、１台の光ピックアップから２本のビームを出射し、データ記録層と描画層を積層配置した光ディスクに対し、一方のビームで前記データ記録層にデータ記録を行いながら、同時に他方のビームで前記描画層に可視画像の形成を行う方法において、前記データ記録に使用する記録データを供給する記録データ供給系統の記録データ用バッファメモリが所定のバッファアンダーラン接近状態に至ったときに、前記データ記録を中断し、これと同時またはその後に前記可視画像の形成を中断し、該記録データ用バッファメモリに記録データを補給した後に、前記データ記録の中断位置から前記データ記録を再開し、かつ該データ記録の再開と同時またはその後に前記可視画像の形成を再開し、かつ、前記記録データ用バッファメモリが前記バッファアンダーラン接近状態に至ってない状態で、前記可視画像の形成に使用する画像データを供給する画像データ供給系統の画像データ用バッファメモリがバッファアンダーラン状態に至ったときに、前記データ記録をそのまま続行した状態で該可視画像の形成を中断し、該画像データ用バッファメモリに画像データを補給した後に該可視画像の形成を再開するものである。
【００１７】
この発明のさらに別の光ディスク記録・描画方法は、前記記録データ用バッファメモリが所定のバッファアンダーラン接近状態に至ったときの別の処理と、前記画像データ用バッファメモリがバッファアンダーラン状態に至ったときの処理を複合させたものである。すなわち、この方法は、１台の光ピックアップから２本のビームを出射し、データ記録層と描画層を積層配置した光ディスクに対し、一方のビームで前記データ記録層にデータ記録を行いながら、同時に他方のビームで前記描画層に可視画像の形成を行う方法において、前記データ記録に使用する記録データを供給する記録データ供給系統の記録データ用バッファメモリが所定のバッファアンダーラン接近状態に至ったときに、前記可視画像の形成をそのまま続行した状態で前記データ記録を中断し、該記録データ用バッファメモリに記録データを補給した後に前記可視画像の形成を中断し、その後前記データ記録の中断位置から前記データ記録を再開し、かつ該データ記録の再開後に前記可視画像の形成を中断した位置またはその先の位置から該可視画像の形成を再開し、かつ、前記記録データ用バッファメモリが前記バッファアンダーラン接近状態に至ってない状態で、前記可視画像の形成に使用する画像データを供給する画像データ供給系統の画像データ用バッファメモリがバッファアンダーラン状態に至ったときに、前記データ記録をそのまま続行した状態で該可視画像の形成を中断し、該画像データ用バッファメモリに画像データを補給した後に該可視画像の形成を再開するものである。
【００１８】
この発明の光ディスク記録・描画装置は、２本のビームを出射する光ピックアップと、光ディスクに記録する記録データを記録データ用バッファメモリを介して供給する記録データ供給系統と、光ディスクに形成する可視画像の画像データを画像データ用バッファメモリを介して供給する画像データ供給系統と、前記光ピックアップから出射される一方のビームの強度を前記記録データ供給系統から供給される記録データで変調するデータ記録用ビーム変調手段と、前記光ピックアップから出射される他方のビームの強度を前記画像データ供給系統から供給される画像データで変調する描画用ビーム変調手段と、前記記録データ用バッファメモリが所定のバッファアンダーラン接近状態に至ったことを検出する記録データ用バッファアンダーラン接近状態検出手段と、データ記録層と描画層を積層配置した光ディスクに対し、前記記録データで変調された一方のビームを前記データ記録層に照射してデータ記録を行いながら、同時に前記画像データで変調された他方のビームを前記描画層に照射して可視画像の形成を行い、前記記録データ用バッファアンダーラン接近状態検出手段が前記記録データ用バッファメモリのバッファアンダーラン接近状態を検出したときに、前記データ記録を中断し、これと同時またはその後に前記可視画像の形成を中断し、該記録データ用バッファメモリに記録データを補給した後に、前記データ記録の中断位置から前記データ記録を再開し、かつ該データ記録の再開と同時またはその後に前記可視画像の形成を再開する制御を行う制御手段とを具備してなるものである。
【００１９】
この発明の別の光ディスク記録・描画装置は、２本のビームを出射する光ピックアップと、光ディスクに記録する記録データを記録データ用バッファメモリを介して供給する記録データ供給系統と、光ディスクに形成する可視画像の画像データを画像データ用バッファメモリを介して供給する画像データ供給系統と、前記光ピックアップから出射される一方のビームの強度を前記記録データ供給系統から供給される記録データで変調するデータ記録用ビーム変調手段と、前記光ピックアップから出射される他方のビームの強度を前記画像データ供給系統から供給される画像データで変調する描画用ビーム変調手段と、前記記録データ用バッファメモリが所定のバッファアンダーラン接近状態に至ったことを検出する記録データ用バッファアンダーラン接近状態検出手段と、データ記録層と描画層を積層配置した光ディスクに対し、前記記録データで変調された一方のビームを前記データ記録層に照射してデータ記録を行いながら、同時に前記画像データで変調された他方のビームを前記描画層に照射して可視画像の形成を行い、前記記録データ用バッファアンダーラン接近状態検出手段が前記記録データ用バッファメモリのバッファアンダーラン接近状態を検出したときに、前記可視画像の形成をそのまま続行した状態で前記データ記録を中断し、該記録データ用バッファメモリに記録データを補給した後に前記可視画像の形成を中断し、その後前記データ記録の中断位置から前記データ記録を再開し、かつ該データ記録の再開後に前記可視画像の形成を中断した位置またはその先の位置から該可視画像の形成を再開する制御を行う制御手段とを具備してなるものである。
【００２０】
この発明のさらに別の光ディスク記録・描画装置は、２本のビームを出射する光ピックアップと、光ディスクに記録する記録データを記録データ用バッファメモリを介して供給する記録データ供給系統と、光ディスクに形成する可視画像の画像データを画像データ用バッファメモリを介して供給する画像データ供給系統と、前記光ピックアップから出射される一方のビームの強度を前記記録データ供給系統から供給される記録データで変調するデータ記録用ビーム変調手段と、前記光ピックアップから出射される他方のビームの強度を前記画像データ供給系統から供給される画像データで変調する描画用ビーム変調手段と、前記画像データ用バッファメモリがバッファアンダーラン状態に至ったことを検出する画像データ用バッファアンダーラン状態検出手段と、データ記録層と描画層を積層配置した光ディスクに対し、前記記録データで変調された一方のビームを前記データ記録層に照射してデータ記録を行いながら、同時に前記画像データで変調された他方のビームを前記描画層に照射して可視画像の形成を行い、前記画像データ用バッファアンダーラン状態検出手段が前記画像データ用バッファメモリのバッファアンダーラン状態を検出したときに、前記データ記録をそのまま続行した状態で該可視画像の形成を中断し、該画像データ用バッファメモリに画像データを補給した後に該可視画像の形成を再開する制御を行う制御手段とを具備してなるものである。
【００２１】
この発明のさらに別の光ディスク記録・描画装置は、上記２つの光ディスク記録・描画装置を複合させたものである。すなわち、この光ディスク記録・描画装置は、２本のビームを出射する光ピックアップと、光ディスクに記録する記録データを記録データ用バッファメモリを介して供給する記録データ供給系統と、光ディスクに形成する可視画像の画像データを画像データ用バッファメモリを介して供給する画像データ供給系統と、前記光ピックアップから出射される一方のビームの強度を前記記録データ供給系統から供給される記録データで変調するデータ記録用ビーム変調手段と、前記光ピックアップから出射される他方のビームの強度を前記画像データ供給系統から供給される画像データで変調する描画用ビーム変調手段と、前記記録データ用バッファメモリが所定のバッファアンダーラン接近状態に至ったことを検出する記録データ用バッファアンダーラン接近状態検出手段と、前記画像データ用バッファメモリがバッファアンダーラン状態に至ったことを検出する画像データ用バッファアンダーラン状態検出手段と、データ記録層と描画層を積層配置した光ディスクに対し、前記記録データで変調された一方のビームを前記データ記録層に照射してデータ記録を行いながら、同時に前記画像データで変調された他方のビームを前記描画層に照射して可視画像の形成を行い、前記記録データ用バッファアンダーラン接近状態検出手段が前記記録データ用バッファメモリのバッファアンダーラン接近状態を検出したときに、前記データ記録を中断し、これと同時またはその後に前記可視画像の形成を中断し、該記録データ用バッファメモリに記録データを補給した後に、前記データ記録の中断位置から前記データ記録を再開し、かつ該データ記録の再開と同時またはその後に前記可視画像の形成を再開する制御を行い、かつ、前記記録データ用バッファアンダーラン接近状態検出手段が前記バッファアンダーラン接近状態を検出していない状態で、前記画像データ用バッファアンダーラン状態検出手段が前記画像データ用バッファメモリのバッファアンダーラン状態を検出したときに、前記データ記録をそのまま続行した状態で該可視画像の形成を中断し、該画像データ用バッファメモリに画像データを補給した後に該可視画像の形成を再開する制御を行う制御手段とを具備してなるものである。
【００２２】
この発明のさらに別の光ディスク記録・描画装置は、上記別の２つの光ディスク記録・描画装置を複合させたものである。すなわち、この光ディスク記録・描画装置は、２本のビームを出射する光ピックアップと、光ディスクに記録する記録データを記録データ用バッファメモリを介して供給する記録データ供給系統と、光ディスクに形成する可視画像の画像データを画像データ用バッファメモリを介して供給する画像データ供給系統と、前記光ピックアップから出射される一方のビームの強度を前記記録データ供給系統から供給される記録データで変調するデータ記録用ビーム変調手段と、前記光ピックアップから出射される他方のビームの強度を前記画像データ供給系統から供給される画像データで変調する描画用ビーム変調手段と、前記記録データ用バッファメモリが所定のバッファアンダーラン接近状態に至ったことを検出する記録データ用バッファアンダーラン接近状態検出手段と、データ記録層と描画層を積層配置した光ディスクに対し、前記記録データで変調された一方のビームを前記データ記録層に照射してデータ記録を行いながら、同時に前記画像データで変調された他方のビームを前記描画層に照射して可視画像の形成を行い、前記記録データ用バッファアンダーラン接近状態検出手段が前記記録データ用バッファメモリのバッファアンダーラン接近状態を検出したときに、前記可視画像の形成をそのまま続行した状態で前記データ記録を中断し、該記録データ用バッファメモリに記録データを補給した後に前記可視画像の形成を中断し、その後前記データ記録の中断位置から前記データ記録を再開し、かつ該データ記録の再開後に前記可視画像の形成を中断した位置またはその先の位置から該可視画像の形成を再開する制御を行い、かつ、前記記録データ用バッファアンダーラン接近状態検出手段が前記バッファアンダーラン接近状態を検出していない状態で、前記画像データ用バッファアンダーラン状態検出手段が前記画像データ用バッファメモリのバッファアンダーラン状態を検出したときに、前記データ記録をそのまま続行した状態で該可視画像の形成を中断し、該画像データ用バッファメモリに画像データを補給した後に該可視画像の形成を再開する制御を行う制御手段とを具備してなるものである。
【発明を実施するための最良の形態】
【００２３】
この発明の実施の形態１を説明する。図１はこの発明が適用された描画機能付き光ディスク装置１０のシステム構成を示す。光ディスク装置１０は既存のＣＤ規格ディスクについてデータ記録・再生、既存のＤＶＤ規格ディスクについてデータ記録・再生を行えるほか、ＣＤ規格記録＋描画可能型光ディスクについてデータのみの記録（以下これを「データ単独記録」という）、同時記録・描画、データ再生、ＤＶＤ規格記録＋描画可能型光ディスクについてデータ単独記録、同時記録・描画、データ再生を行えるものである。ＣＤ規格記録＋描画可能型光ディスクおよびＤＶＤ規格記録＋描画可能型光ディスクは後述するようにデータ記録層と描画層が積層形成されたもので、データ記録・再生はデータ記録層に対して行われ、描画は描画層に対して行われる。
【００２４】
光ディスク１２はスピンドルモータ１４で回転駆動される。スピンドルモータ１４からはＦＧパルスが１回転につき所定パルス数ずつ等角度間隔で出力される。光ピックアップ１６はスレッド送りモータ１１によって光ディスク１２の径方向に移送される。光ピックアップ１６の対物レンズ１８からは２個のレーザダイオードから出射される２本のレーザ光２０，２２（いずれも主ビームをいう）が同軸状にかつそれらの合焦位置が光ディスク１２内でデータ記録層と描画層の間隔に近似した固定距離分光軸方向に相互にずれた状態となるように出射される。レーザ光２０，２２の合焦位置間の距離（以下「合焦位置間距離」という）は後述するように調整可能である。ここではレーザ光２０がＣＤ用、レーザ光２２がＤＶＤ用であるとする。
【００２５】
ホストコンピュータ１３からは、データ単独記録を行うときは記録データ（音楽データ等）が送出され、同時記録・描画を行うときは記録データおよび画像データが時分割で送出される。これら記録データと画像データは光ディスク装置１０に転送され、それぞれ記録データ用バッファメモリ１５Ａ、画像データ用バッファメモリ１５Ｂを介して信号処理部１７に入力される。記録データ用バッファメモリ１５Ａを介して記録データを供給する系統が記録データ供給系統４１を構成し、画像データ用バッファメモリ１５Ｂを介して可視画像の画像データを供給する系統が画像データ供給系統４３を構成する。なお、記録データ用バッファメモリ１５Ａと画像データ用バッファメモリ１５Ｂは、別々のメモリ素子で構成するほか、１つのメモリ素子を両バッファメモリ１５Ａ，１５Ｂで領域を分けて共用するように構成することもできる。
【００２６】
信号処理部１７はＤＳＰ（Digital Signal Processor）で構成され、制御部１９、エンコーダ２１Ａ、２１Ｂ、デコーダ２３等を具備する。信号処理部１７に入力された記録データはエンコーダ２１Ａでエンコード（光ディスク１２がＣＤ規格ディスクの場合はＥＦＭ変調、ＤＶＤ規格ディスクの場合は８／１６変調）される。エンコードされた記録データ（“１”、“０”２値の記録パルス）はストラテジー回路２５で適宜の時間軸補正が施されてレーザドライバ２７に供給される。レーザドライバ２７はこの記録パルスに応じて光ピックアップ１６内のレーザダイオード（ＣＤデータの場合はＣＤ用レーザダイオード、ＤＶＤデータの場合はＤＶＤ用レーザダイオード）に駆動電流を供給し、光ディスク１２のデータ記録層にデータ記録を行う。
【００２７】
信号処理部１７に入力された画像データはエンコーダ２１Ｂで適宜のエンコード処理をされた後、ＦＩＦＯ（First-In First-Out）メモリ２９を経てパルス生成部３１に入力される。パルス生成部３１は入力される画像データに基づき、該画像データを構成する画素ごとの“１”、“０”２値のパルス信号（描画パルス）を生成する。すなわち、画像データは描画する各画素の階調を表すデータ（階調データ）で構成されており、パルス生成部３１は、１画素あたりの描画割り当て時間が一定で該各画素の階調データに応じてデューティが変化する描画パルスを順次生成する（図１１参照）。パルス生成部３１で生成された描画パルスはストラテジー回路２５で適宜の時間軸補正が施されてレーザドライバ２７に供給される。レーザドライバ２７はこの描画パルスに応じて光ピックアップ１６内のレーザダイオード（ＣＤ用レーザダイオードまたはＤＶＤ用レーザダイオード）を駆動し、光ディスク１２の描画層に描画を行う。描画された１つの画素は人の目には１つの点（ドット）として認識され、また各ドットのデューティの違いは人の目には描画の濃度の違いとして感じられる（デューティが高いほど濃い描画として感じられる）ので、これによりモノクロ多階調による描画が実現される。なお、ストラテジー回路２５は記録パルスと描画パルスの時間軸補正を並行して行うことができる。また、レーザドライバ２７は記録パルスと描画パルスのいずれか一方によるＣＤ用レーザダイオードの駆動と、記録パルスと描画パルスのいずれか他方によるＤＶＤ用レーザダイオードの駆動を並行して行うことができる。
【００２８】
ウォブル検出回路３３はデータ単独記録時、同時記録・描画時およびデータ再生時に、光ピックアップ１６のデータ記録またはデータ再生を行っているレーザ光の戻り光信号からウォブル信号を検出する。ＲＦ回路３５はデータ単独記録時、同時記録・描画時およびデータ再生時に光ピックアップ１６のデータ記録またはデータ再生を行っているレーザ光の戻り光信号（ＲＦ信号）を増幅する。信号処理部１７のデコーダ２３はこのＲＦ信号をデコード（光ディスク１２がＣＤ規格ディスクの場合はＥＦＭ復調、ＤＶＤ規格ディスクの場合は８／１６復調）して記録データを復調する。復調された記録データはバッファメモリ（バッファメモリ１５Ａまたは別途設けられた図示しないバッファメモリ）を介してホストコンピュータ１３に転送される。
【００２９】
サーボ回路３７はデータ単独記録時、同時記録・描画時およびデータ再生時に光ピックアップ１６のデータ記録またはデータ再生を行っているレーザ光の戻り光（ＣＤデータの記録および再生時はＣＤ用レーザ光２０の戻り光、ＤＶＤデータの記録および再生時はＤＶＤ用レーザ光２２の戻り光）に基づき光ピックアップ１６のフォーカス制御、トラッキング制御、スレッド送り制御を行う。また、サーボ回路３７はスピンドルモータ１４を、データ単独記録時にウォブル信号に基づき線速度一定（ＣＬＶ）に制御し、同時記録・描画時にスピンドルモータ１４から出力されるＦＧパルスに基づき回転数一定（ＣＡＶ）に制御し、データ再生時にウォブル信号またはＲＦ信号から再生される再生クロックに基づき線速度一定に制御する。サーボ回路３７は後述するように、同時記録・描画の開始前に、２本のレーザ光２０，２２の合焦位置間距離の調整を行う。調整された合焦位置間距離は同時記録・描画が終了するまで（描画が先に終了する場合は描画が終了するまででもよい）保持される。
【００３０】
信号処理部１７において、記録データ用バッファアンダーラン接近状態検出手段４５は、データ単独記録時および同時記録・描画時に、記録データ用バッファメモリ１５Ａの転送待ち記録データ（ホストコンピュータ１３から記録データ用バッファメモリ１５Ａに転送された後、記録データ用バッファメモリ１５Ａから信号処理部１７に転送されるのを待っている記録データ）のデータ量を常時監視し、該転送待ち記録データのデータ量が所定量以下に減少した状態をバッファアンダーラン接近状態として検出する。
【００３１】
画像データ用バッファアンダーラン状態検出手段４７は、同時記録・描画時に画像データ用バッファメモリ１５Ｂの転送待ち画像データ（ホストコンピュータ１３から画像データ用バッファメモリ１５Ｂに転送された後、画像データ用バッファメモリ１５Ｂから信号処理部１７に転送されるのを待っている画像データ）のデータ量を常時監視し、バッファアンダーラン状態すなわち該転送待ち画像データのデータ量が０になった状態を検出する。制御部１９は記録データ用バッファアンダーラン接近状態検出手段４５によるバッファアンダーラン接近状態の検出および画像データ用バッファアンダーラン状態検出手段４７によるバッファアンダーラン状態の検出に応じて、後述する制御を実行する。
【００３２】
ＡＬＰＣ（Automatic Laser Power Control）回路３９は光ピックアップ１６内のフロントモニタで検出されるレーザパワーに基づき、データ単独記録時はデータ記録を行うレーザ光の再生パワーおよび記録パワーが、同時記録・描画時はデータ記録を行うレーザ光の再生パワーと記録パワーおよび描画を行うレーザ光の再生パワー（非描画パワー）と記録パワー（描画パワー）が、データ再生時はデータ再生を行うレーザ光の再生パワーが、それぞれ制御部１９で指令された値に一致するようにサーボループを形成してレーザドライバ２７を制御する。
【００３３】
この発明の描画方法で使用できる描画可能型光ディスクの層構造例を図２〜図４を参照して説明する。図２および図３はＣＤ規格記録＋描画可能型光ディスク、図４はＤＶＤ規格記録＋描画可能型光ディスクである。図２〜図４の光ディスク１２はいずれも、同一面側から波長および合焦位置が異なるレーザ光２０，２２を入射してデータ記録層に対するデータ記録およびデータ再生と描画層に対する描画を行うことができる。光ディスク１２のレーザ光２０，２２が入射される側の面を「レーザ入射面１２ａ」といい、その反対側の面を「レーベル面１２ｂ」というものとする。図２〜図４はいずれも、一方のレーザ光でデータ記録層にデータ記録を行い、他方のレーザ光で描画層に描画を行う同時記録・描画時の状態を示す。なお、図２〜図４では説明の便宜上レーザ光２０，２２を離れた位置に図示しているが、実際にはレーザ光２０，２２は１つの対物レンズ１８から同軸状に出射される。
【００３４】
図２〜図４において、描画層はレーザ光の照射により可視光特性が変化するもので、感熱材料、感光材料等で構成されている。この描画層は例えばデータ記録層と同じ色素材料で構成することができる。データ記録層にはトラックとしてウォブルグルーブが形成されている。描画層にはトラックは形成されていない。データ記録層と描画層の配列順序は、データ記録層の方がレーザ入射側に近い配置、描画層の方がレーザ入射側に近い配置のいずれもとり得る。レーザ入射側から見て奥側の層への該レーザ光の照射は手前側の層を透過して行われる。図２〜図４の層構造はいずれも描画層を、データ記録層に対し、該描画層に描画された画像を目視する方向に近い側に配置し、該画像を視認しやすくしている。図２および図３のＣＤ規格記録＋描画可能型光ディスク１２は正規のＣＤ−Ｒディスクで使用されている１．２ｍｍ厚の１枚の基板に代えて、それぞれ０．６ｍｍ厚に形成されている２枚の基板を用意し、これら２枚の基板を、間に描画層を挟んで相互に貼り合わせたものである。図４のＤＶＤ規格記録＋描画可能型光ディスク１２はＤＶＤディスクに描画層を追加形成したものである。図２〜図４において共通する部分には同一の符号を用いる。
【００３５】
図２〜図４の各光ディスク１２について説明する。
《光ディスクの層構造例１：図２》
図２のＣＤ規格記録＋描画可能型光ディスク１２はグルーブが形成されていない０．６ｍｍ厚のポリカーボネート基板２４の表面に描画層２６、合焦制御用半透明反射層２８を順次積層した第１基板３０と、０．６ｍｍ厚のポリカーボネート基板３２のグルーブ３４が形成されている表面にデータ記録層３６、合焦制御用反射層３８、保護層４０を順次積層した第２基板４２とを、透明接着層４４で相互に接合して、全体を１．２ｍｍ厚の一体構造に形成したものである。
【００３６】
データ記録層３６に対するデータ単独記録およびデータ再生はＣＤ用レーザ光２０を用いて行われる。このときフォーカス制御およびトラッキング制御はＣＤ用レーザ光２０を用いて行われ、スレッド送り制御はトラッキングエラー信号の直流成分に基づいて行われる。同時記録・描画は、ＣＤ用レーザ光２０でデータ記録層３６に対するデータ記録を行いながら、同時にＤＶＤ用レーザ光２２で描画層２６に対する描画を行う。このときフォーカス制御およびトラッキング制御はＣＤ用レーザ光２０を用いて行われ、スレッド送り制御はトラッキングエラー信号の直流成分に基づいて行われる。このとき２本のレーザ光２０，２２の合焦位置ｆａ，ｆｂ間の光軸方向距離は、同時記録・描画動作開始前の後述する初期調整でデータ記録層３６と描画層２６間の距離（０．６ｍｍ）またはこれに近い固定距離に調整されているので、ＤＶＤ用レーザ光２２は必然的に描画層２６に合焦またはほぼ合焦された状態で描画を行う。また、ＤＶＤ用レーザ光２２はトラッキング制御されているＣＤ用レーザ光２０と一体となってディスク径方向に移動するので、データ記録層３６のトラックピッチ（グルーブ３４のピッチ）に相当する径方向密度で描画層２６に対する描画が行われる。描画された可視画像はレーザ入射面１２ａ側から目視することができる。
【００３７】
《光ディスクの層構造例２：図３》
図３のＣＤ規格記録＋描画可能型光ディスク１２は図２の光ディスク１２の変形例であり、最表面の保護層４０の上に別の画像を予め印刷した（またはユーザーが印刷可能な）印刷層４６を積層形成したものである。すなわち、印刷層４６には予めディスクメーカーやディスク販売者・頒布者等が任意の画像を印刷しておくことができる。あるいは、印刷層４６を無地の白色等に形成し、ユーザーがプリンタ等を使用して任意の画像を印刷できるようにしておくことができる。データ単独記録、同時記録・描画、データ再生は図２の光ディスク１２と同様にして行われる。描画層２６に描画された可視画像はレーザ入射面１２ａ側から目視され、印刷層４６に印刷された画像はレーベル面１２ｂ側から目視される。
【００３８】
《光ディスクの層構造例３：図４》
図４のＤＶＤ規格記録＋描画可能型光ディスク１２はＤＶＤ−Ｒ（＋Ｒ）に描画層を追加形成したものである。この光ディスク１２は０．６ｍｍ厚のポリカーボネート基板２４のグルーブ３４が形成されている表面にデータ記録層３６、合焦制御用半透明反射層２８を順次積層した第１基板３０と、０．６ｍｍ厚のグルーブが形成されていないポリカーボネート基板３２の表面に描画層２６、合焦制御用半透明反射層４８、保護層４０を順次積層した第２基板４２とを、透明接着層４４で相互に接合して、全体を１．２ｍｍ厚の一体構造に形成したものである。
【００３９】
データ記録層３６に対するデータ単独記録およびデータ再生はＤＶＤ用レーザ光２２を用いて行われる。このときフォーカス制御およびトラッキング制御はＤＶＤ用レーザ光２２を用いて行われ、スレッド送り制御はトラッキングエラー信号の直流成分に基づいて行われる。同時記録・描画は、ＤＶＤ用レーザ光２２でデータ記録層３６に対するデータ記録を行いながら、同時にＣＤ用レーザ光２０で描画層２６に対する描画を行う。このときフォーカス制御およびトラッキング制御はＤＶＤ用レーザ光２２を用いて行われ、スレッド送り制御はトラッキングエラー信号の直流成分に基づいて行われる。このとき２本のレーザ光２０，２２の合焦位置ｆａ，ｆｂ間の光軸方向距離は、同時記録・描画動作開始前の後述する初期調整でデータ記録層３６と描画層２６間の距離（０．６ｍｍ）またはこれに近い固定距離に調整されているので、ＣＤ用レーザ光２０は必然的に描画層２６に合焦またはほぼ合焦された状態で描画を行う。また、ＣＤ用レーザ光２０はトラッキング制御されているＤＶＤ用レーザ光２２と一体となってディスク径方向に移動するので、データ記録層３６のトラックピッチ（グルーブ３４のピッチ）に相当する径方向密度で描画層２６に対する描画が行われる。描画された可視画像は半透明反射層４８を透過してレーベル面１２ｂ側から目視することができる。
【００４０】
次に、光ピックアップ１６の光学系の構成例を図５に示す。光ピックアップ１６は波長が７８０ｎｍのＣＤ用レーザ光２０を出射するＣＤ用レーザダイオード５０と、波長が６５０ｎｍのＤＶＤ用レーザ光２２を出射するＤＶＤ用レーザダイオード５２を搭載している。ＣＤ用レーザダイオード５０は受光素子付きホログラムレーザで構成されている。ＣＤ用レーザダイオード５０から出射されたＣＤ用レーザ光２０は、液晶補正素子（液晶光学素子、液晶レンズ）５３を介してコリメータレンズ５４で平行光（または平行光に近い発散光）にされた後、ビームスプリッタ５６を透過し、ハーフミラー５８で一部が反射され、１／４波長板６０を経て対物レンズ１８から開口数０．４５程度で出射されて、光ディスク１２に照射される。ＣＤ用レーザ光２０に対する対物レンズ１８の開口数は例えば対物レンズ１８に入射するＣＤ用レーザ光２０のビーム径の調整で設定することができる。液晶補正素子５３は外部から印加される電圧により屈折率が変化して、この素子を通過するレーザ光２０の合焦位置を移動させることにより、ＣＤ用レーザ光２０とＤＶＤ用レーザ光２２の合焦位置間距離を調整するものである。すなわち、同時記録・描画を開始するのに先立ち液晶補正素子５３でＣＤ用レーザ光２０とＤＶＤ用レーザ光２２の合焦位置間距離を調整することにより、データ記録用のレーザ光をデータ記録層に、描画用のレーザ光を描画層にそれぞれ所定の状態に合焦させた状態で同時データ記録・描画が行えるようにしている。液晶補正素子５３に電圧が印加されていない状態で、ＣＤ用レーザ光２０とＤＶＤ用レーザ光２２の光ディスク１２内での合焦位置間距離をデータ記録層と描画層の間隔（０．６ｍｍ）に近い状態に設定すれば、液晶補正素子５３による合焦位置間距離の調整量を少なくすることができる。
【００４１】
光ディスク１２で反射されたＣＤ用レーザ光２０の戻り光は対物レンズ１８から入射され、１／４波長板６０を経てハーフミラー５８で一部が反射され、ビームスプリッタ５６を透過し、コリメータレンズ５４で収束され、液晶補正素子５３を介してＣＤ用レーザダイオード５０（受光素子付きホログラムレーザ）内の受光素子で受光される。この受光素子の受光信号に基づきトラッキングエラー検出、フォーカスエラー検出、ウォブル検出、クロック再生、記録データの復調等が行われる。
【００４２】
ＤＶＤ用レーザダイオード５２から出射されたＤＶＤ用レーザ光２２は回折格子６２を経て偏光ビームスプリッタ６４を透過し、コリメータレンズ６６で平行光にされた後、ビームスプリッタ５６で反射され、ハーフミラー５８で一部が反射され、１／４波長板６０を経てＣＤ用レーザ光２０と同軸状に対物レンズ１８から開口数０．６５程度で出射されて、光ディスク１２に照射される。ＤＶＤ用レーザ光２２に対する対物レンズ１８の開口数は例えば対物レンズ１８に入射するＤＶＤ用レーザ光２２のビーム径の調整で設定することができる。光ディスク１２で反射されたＤＶＤ用レーザ光２２の戻り光は対物レンズ１８から入射され、１／４波長板６０を経てハーフミラー５８で一部が反射され、ビームスプリッタ５６で反射され、コリメータレンズ６６で収束され、偏光ビームスプリッタ６４で反射され、凹レンズ６８（検出レンズ）を経て受光部７０（受光素子）で受光される。この受光部７０の受光信号に基づきトラッキングエラー検出、フォーカスエラー検出、ウォブル検出、クロック再生、記録データの復調等が行われる。なお、ビームスプリッタ５６は図５で上側の面５６ａ（フィルタ面）が波長選択性を有するミラーで構成されているものであり、この面５６ａに入射される波長７８０ｎｍのＣＤ用レーザ光２０を透過させ、波長６５０ｎｍのＤＶＤ用レーザ光２２を反射させる特性を有するものである。
【００４３】
なお、対物レンズ１８はその表面１８ａに輪帯状の回折構造（ブレーズ化ホログラム）を有し、ＣＤとＤＶＤの基板厚の違いによる球面収差を補正する。また、液晶補正素子５３による合焦位置間距離の調整量を少なくするために、液晶補正素子５３に電圧が印加されていない状態でＣＤ用レーザ光２０とＤＶＤ用レーザ光２２の光ディスク１２内での合焦位置間距離をデータ記録層と描画層の間隔（０．６ｍｍ）に近い状態に設定する（すなわち合焦位置間距離を十分引き離す）方法としては、例えば次が考えられる。
（ａ）対物レンズ表面１８ａのホログラムを、ＣＤ用レーザ光２０に対し凹レンズの作用をするように設計する。これにより、ＣＤ用レーザ光２０の合焦位置はＤＶＤ用レーザ光２２の合焦位置から遠ざかった位置に配置される。
（ｂ）対物レンズ１８に対しＤＶＤ用レーザ２２を平行光（無限光学系）で入射させ、ＣＤ用レーザ光２０を発散光（有限光学系）で入射させるようにコリメータレンズ６６，５４を設計し配置する。これにより、ＣＤ用レーザ光２０の合焦位置はＤＶＤ用レーザ光２２の合焦位置から遠ざかった位置に配置される。
【００４４】
ＣＤ用レーザダイオード５０およびＤＶＤ用レーザダイオード５２から出射されたＣＤ用レーザ光２０およびＤＶＤ用レーザ光２２の各一部はハーフミラー５８をそれぞれ透過しビームスプリッタ７１に入射される。ビームスプリッタ７１は波長選択性を有するもので、前記ビームスプリッタ５６と同一のもので構成できる。すなわち、ビームスプリッタ７１は図５で下側の面７１ａ（フィルタ面）が波長選択性を有するミラーで構成されているものであり、この面７１ａに入射される波長７８０ｎｍのＣＤ用レーザ光２０を透過させ、波長６５０ｎｍのＤＶＤ用レーザ光２２を反射させる特性を有するものである。ビームスプリッタ７１を透過したＣＤ用レーザ光２０はＣＤ光用フロントモニタを構成する受光素子７２で受光される。ビームスプリッタ７１で反射されたＤＶＤ用レーザ光２２はＤＶＤ光用フロントモニタを構成する受光素子７３で受光される。
【００４５】
受光素子７２はＣＤ用レーザ光２０のフロントモニタとして該レーザ光２０のレーザパワーの検出に使用される。すなわち、受光素子７２の受光信号に基づきＣＤ用レーザ光２０のＡＬＰＣによる出射パワー制御｛ＣＤ用レーザ光２０でデータ記録を行うときは記録パワーおよび再生パワーの制御、ＣＤ用レーザ光２０で再生を行うときは再生パワーの制御、ＣＤ用レーザ光２０で描画を行うときは記録パワー（描画パワー）および再生パワー（非描画パワー）の制御｝が行われる。
【００４６】
受光素子７３はＤＶＤ用レーザ光２２のフロントモニタとして該レーザ光２２のレーザパワーの検出に使用される。すなわち、受光素子７３の受光信号に基づきＤＶＤ用レーザ光２２のＡＬＰＣによる出射パワー制御｛ＤＶＤ用レーザ光２２でデータ記録を行うときは記録パワーおよび再生パワーの制御、ＤＶＤ用レーザ光２２で再生を行うときは再生パワーの制御、ＤＶＤ用レーザ光２２で描画を行うときは記録パワー（描画パワー）および再生パワー（非描画パワー）の制御｝が行われる。
【００４７】
フォーカスアクチュエータ７４はＣＤ用レーザ光２０およびＤＶＤ用レーザ光２２に共通のフォーカスアクチュエータとして、いずれか一方のフォーカスエラー信号に基づいて駆動され、対物レンズ１８をフォーカス制御方向に動作させる。トラッキングアクチュエータ７６はＣＤ用レーザ光２０およびＤＶＤ用レーザ光２２に共通のトラッキングアクチュエータとして、いずれか一方のトラッキングエラー信号に基づいて駆動され、対物レンズ１８をトラッキング制御方向に動作させる。データ単独記録時およびデータ再生時は一方のレーザ光のみが使用されるので、この使用される方のレーザ光に基づいてトラッキング制御およびフォーカス制御を行う。また、同時記録・描画時はデータ記録を行う方のレーザ光でトラッキングおよびフォーカス制御を行う。なお、同時記録・描画時は描画を行う方のレーザ光でフォーカス制御を行うことも可能であるが、データ記録を行う方のレーザ光でフォーカス制御を行った方がデータ記録を高精度に行うことができる。
【００４８】
液晶補正素子５３の構成例を図６に示す。液晶補正素子５３は周知の液晶光学素子（液晶レンズ）で構成されるもので、ＣＤ用レーザ光２０が透過する面が同心円状パターンに配された透明電極によって複数の液晶領域５３−１，５３−２，・・・、５３−ｎに区分されている。各液晶領域５３−１，５３−２，・・・、５３−ｎごとに印加電圧を調整して屈折率を調整することにより、ＣＤ用レーザ光２０の合焦位置を移動させることができる。
【００４９】
図７は液晶補正素子５３による合焦位置の調整動作を示す。図７（ａ）は液晶補正素子５３に電圧を印加していないときの状態で、対物レンズ１８から出射されたＣＤ用レーザ光２０の合焦位置ｆ０は合焦目標位置５５（データ記録層または描画層）から外れている。この状態から、液晶補正素子５３の各液晶領域５３−１，５３−２，・・・、５３−ｎに印加する電圧を調整することにより、図７（ｂ）に示すように、ＣＤ用レーザ光２０の合焦位置ｆ０を合焦目標位置５５に一致させることができる。
【００５０】
図１のサーボ回路３７におけるフォーカス制御、２ビームの合焦位置間距離調整制御、トラッキング制御、スレッド送り制御に関する部分の構成例を図８に示す。フォーカス制御は、ＣＤ用レーザ光２０の戻り光信号から検出されるフォーカスエラー信号とＤＶＤ用レーザ光２２の戻り光信号から検出されるフォーカスエラー信号のうちスイッチ５７で選択された方の信号をドライブ回路５９に供給し、ドライブ回路５９でフォーカスアクチュエータ７４を駆動してフォーカスエラーを打ち消すようにサーボループが構成されている。
【００５１】
２ビームの合焦位置間距離調整制御は、ＣＤ用レーザ光２０の戻り光信号から検出されるフォーカスエラー信号とＤＶＤ用レーザ光２２の戻り光信号から検出されるフォーカスエラー信号のうちスイッチ６１で選択された方の信号に基づいて液晶補正素子５３を駆動することにより行われる。液晶補正素子５３の駆動信号路に配されたスイッチ６３は液晶補正素子５３の駆動信号を切り換えるもので、制御部１９により切り換えられる。すなわち、スイッチ６３は同時記録・描画動作を開始する前の合焦位置間距離調整時に接点Ｂに接続される。このとき、スイッチ６１で選択されたフォーカスエラー信号はドライブ回路６５およびスイッチ６３を介して液晶補正素子５３を駆動し、フォーカスエラーを打ち消すようにサーボループが構成される。これにより、２本のレーザ光２０，２２の合焦位置間距離が調整される。調整が終了したら、その時のドライブ回路６５の駆動電圧値がＡ／Ｄ変換器５１でディジタルデータに変換され、制御部１９内に格納される。その後、同時記録・描画動作を開始する際に、スイッチ６３は接点Ｃに接続され、制御部１９は前記格納した駆動電圧データをＤ／Ａ変換して固定電圧としてスイッチ６３の接点Ｃに供給する。これにより、液晶補正素子５３は同時記録・描画動作中は連続してこの固定電圧で駆動され、同時記録・描画動作を終了するまで、２本のレーザ光２０，２２の合焦位置間距離が前記調整された状態に保持される。
【００５２】
トラッキング制御は、ＣＤ用レーザ光２０の戻り光信号から検出されるトラッキングエラー信号とＤＶＤ用レーザ光２２の戻り光信号から検出されるトラッキングエラー信号のうちスイッチ６７で選択された方の信号をドライブ回路６９に供給し、ドライブ回路６９でトラッキングアクチュエータ７６を駆動してトラッキングエラーを打ち消すようにサーボループが構成されている。スレッド送り制御は、スイッチ６７で選択されたトラッキングエラー信号について直流成分検出回路７５で直流成分を検出し、ドライブ回路７７を介してスレッド送りモータ１１（ＤＣモータ）を駆動して該直流成分を打ち消すようにサーボループが構成されている。
【００５３】
図８の各スイッチ５７，６１，６７の切り換えは信号処理部１７（図１）の制御部１９によって行われる。なお、同時記録・描画動作中に、２本のレーザ光２０，２２の合焦位置間距離を制御部１９から出力される固定電圧により固定値に保持するのに代えて、図８に点線で示すように、直流成分検出回路７９でフォーカス制御に使用していない方のフォーカスエラー信号（フォーカス駆動信号）の直流成分を検出してスイッチ６３の接点Ａに供給し、スイッチ６３を接点Ａに接続してこの直流成分を打ち消すようにサーボループを形成して液晶補正素子５３を駆動することもできる。
【００５４】
次に、図５のＣＤ用レーザダイオード５０と、ＤＶＤ用レーザダイオード５２の駆動回路の構成例（図１のＡＬＰＣ回路３９とレーザドライバ２７の構成例）を図９に示す。この回路はＣＤ用レーザダイオード駆動回路７８とＤＶＤ用レーザダイオード駆動回路８０を具えている。データ単独記録時またはデータ再生時はＣＤ用レーザダイオード５０、ＤＶＤ用レーザダイオード５２のいずれか一方が使用されるので、このとき他方のレーザダイオードの駆動は休止（消灯）される。同時記録・描画時は両レーザダイオード５０，５２が使用される。図９のサーボスイッチ１００，１０２，１０４，１０６の接続状態（いずれもオン）は、同時記録・描画時の状況を示している。
【００５５】
ＣＤ用レーザダイオード駆動回路７８は再生（リード）パワー駆動電圧を出力するＣＤ用再生パワー駆動電圧出力回路８４と記録（ライト）パワー駆動電圧を出力するＣＤ用記録パワー駆動電圧出力回路８６を並列に具えている。ＤＶＤ用レーザダイオード駆動回路８０は再生パワー駆動電圧を出力するＤＶＤ用再生パワー駆動電圧出力回路８８と記録パワー駆動電圧を出力するＤＶＤ用記録パワー駆動電圧出力回路９０を並列に具えている。各駆動電圧出力回路８４，８６，８８，９０は、サンプルホールド回路９２、９４，９６，９８と、サーボスイッチ１００，１０２，１０４，１０６と、設定器１１１，１１３，１１５，１１７と、アンプ１１９，１２１，１２３，１２５でそれぞれ構成されている。
【００５６】
サンプルホールド回路９２，９４はフロントモニタ用受光素子７２で検出されるＣＤ用レーザ光２０のレーザパワーをサンプルホールドする。サンプルホールド回路９６，９８はフロントモニタ用受光素子７３で検出されるＤＶＤ用レーザ光２２のレーザパワーをサンプルホールドする。サーボスイッチ１００，１０２，１０４，１０６は、各駆動電圧出力回路８４，８６，８８，９０によるサーボ制御系統をオン、オフする。設定器１１１，１１３はサーボループ形成時（サーボスイッチ１００，１０２がオンしている時）に、ＣＤ用レーザダイオード５０の再生パワー指令電圧値｛再生パワー（または非描画パワー）の目標値を指令する電圧値｝Ｖ１、記録パワー指令電圧値｛記録パワー（または描画パワー）の目標値を指令する電圧値｝Ｖ２をそれぞれ出力する。設定器１１５，１１７はサーボループ形成時（サーボスイッチ１０４，１０６がオンしている時）に、ＤＶＤ用レーザダイオード５２の再生パワー指令電圧値｛再生パワー（または非描画パワー）の目標値を指令する電圧値｝Ｖ３、記録パワー指令電圧値｛記録パワー（または描画パワー）の目標値を指令する電圧値｝Ｖ４をそれぞれ出力する。アンプ１１９，１２１，１２３，１２５はサーボスイッチ１００，１０２，１０４，１０６がオンしているときにサンプルホールド値とパワー指令電圧値Ｖ１、Ｖ２、Ｖ３、Ｖ４との偏差電圧をそれぞれ出力する。
【００５７】
なお、描画に使用するレーザ光のレーザパワーはデータ記録に使用するレーザ光のレーザパワーほど厳密さは必要ないので、後述するように、描画に使用するレーザ光についてはサーボループを形成することなく固定の駆動電流で駆動することもできる。この場合は、描画に使用するレーザ光のサーボスイッチをオフする。すなわち、ＣＤ用レーザ光２０で描画する時はサーボスイッチ１００，１０２をオフする。このとき、アンプ１１９，１２１はバッファーアンプとして固定電圧Ｖ１，Ｖ２をそれぞれ出力する。また、ＤＶＤ用レーザ光２２で描画する時はサーボスイッチ１０４，１０６をオフする。このとき、アンプ１２３，１２５はバッファーアンプとして固定電圧Ｖ３，Ｖ４をそれぞれ出力する。
【００５８】
記録パワー駆動電圧の出力経路に配置されたスイッチ１２７，１２９は記録パルスまたは描画パルスの信号レベル“１”、“０”に応じてオン、オフされる。電圧・電流変換器１３１，１３３，１３５，１３７は駆動電圧出力回路８４，８６，８８，９０から出力される偏差電圧をその電圧値に比例した電流に変換する。加算器１３９は電圧・電流変換器１３１，１３３の出力電流を加算してＣＤ用レーザダイオード５０を駆動する。加算器１４１は電圧・電流変換器１３５，１３７の出力電流を加算してＤＶＤ用レーザダイオード５２を駆動する。
【００５９】
次に、光ディスク１２の描画層に描画する１枚の画像を構成する画素の配列例を説明する。該画素の配列例を図１０に模式的に示す。符号１２ｃは光ディスク１２の中心穴を示す。１枚の画像を構成する画素Ｐ１１，Ｐ１２，・・・，Ｐ１ｎ，Ｐ２１，Ｐ２２，・・・Ｐ２ｎ，・・・・・・，Ｐｍｎは光ディスク１２の中心点を中心にデータ記録層のトラック（ウォブルグルーブ）が形成されている領域に該トラックに沿ってトラックピッチΔｒで螺旋状に配列される。画素の周方向の配列間隔（角度）Δθは一定であり、したがって１周あたりの画素数ｎは径方向位置にかかわらず常に一定である。なお、描画する側（レーザ入射面１２ａ側）から見た画像とレーベル面１２ｂ側から見た画像は表裏が反転するので、描画された画像を光ディスク１２のレーベル面１２ｂ側から目視する場合（図４のディスク層構造）は、描画する画像の原図は表裏を反転して用い、目視する側（レーベル面１２ｂ側）から見て表裏が正しく表示されるように描画する。
【００６０】
描画層２６に対する描画は同時記録・描画時に光ディスク１２をＣＡＶ制御して内周側から順次外周側に向けて実行される。すなわち、同時記録・描画時は、基準クロックに同期してスピンドルモータ１４がＣＡＶ制御され、かつこの基準クロックに同期してパルス生成部３１（図１）から一定速度（１個の画素あたりの描画割り当て時間が一定で、１周あたりｎ個の画素を描画する速度）で各画素Ｐ１１，Ｐ１２，・・・，Ｐ１ｎ，Ｐ２１，Ｐ２２，・・・Ｐ２ｎ，・・・・・・，Ｐｍｎの描画パルスが順次出力される。このとき、データ記録層３６に対するデータ記録が同時に行われる。データ記録は検出されるウォブル信号に同期して行われる。そして、このデータ記録を行っているレーザ光でデータ記録層３６のトラック（グルーブ３４）に対するトラッキング制御が行われる。描画を行っているレーザ光２０（または２２）とデータ記録を行っているレーザ光２２（または２０）の光ディスク１２の面に沿った方向の位置関係は相互に固定であるので、描画径方向位置はトラックピッチΔｒで順次外周方向に移動していく。各画素の描画パルスはその階調に応じたデューティを有するので、これによりモノクロ多階調による描画が順次進行していく。このようにして、描画は１周あたりｎ画素ずつ一定速度で連続的に行われ、ｍ周回で完了する。その結果、各画素が図１０に示す位置にそれぞれ描画されて、対応する画像が光ディスク１２の盤面に表示される。
【００６１】
同時記録・描画時に、描画を行っているレーザ光のレーザパワーのレーザパワーは、図１１に示すようになる。すなわち、１画素あたりの描画割り当て時間が一定でかつ該各画素の階調データに応じたデューティで再生パワー（非描画パワー）と記録パワー（描画パワー）の２値に変化する。記録パワーで描画層の可視光特性が変化して描画が行われる。また、このときデータ記録を行うレーザ光のレーザパワーも記録パルスに応じて再生パワーと記録パワーの２値に変化してデータ記録が行われる。同時記録・描画時にデータ記録は、スピンドルモータ１４をＣＡＶ回転させた状態で線密度が一定になるように行うので、記録パルスの１フレームあたりの時間は外周に行くほど短くなる。同時記録・描画時はデータ記録を行うレーザ光の再生パワー時に検出されるフォーカスエラーでフォーカス制御が行われ、トラッキングエラーでトラッキング制御が行われる。
【００６２】
以上の構成の光ディスク装置１０の各動作モード時の制御について説明する。なお、データ単独記録、同時記録・描画、データ再生はいずれもディスク内周側から外周側に向けて実行される。
《既存のＣＤ−Ｒまたは図２、図３の描画層付きＣＤ−Ｒのデータ単独記録時》
図８のスイッチ５７，６７はそれぞれＣＤ側に接続される。液晶補正素子５３は駆動されない。図９のサーボスイッチ１００，１０２はオンされ、サーボスイッチ１０４，１０６はオフされる。これにより、ＣＤ用レーザダイオード駆動回路７８は能動状態となり、ＤＶＤ用レーザダイオード駆動回路８０は休止状態（ＤＶＤ用レーザダイオード５２はオフ）となる。スイッチ１２７は記録パルスの信号レベル“１”、“０”に応じてオン、オフされる。これにより、ＣＤ用レーザダイオード５０は、記録パルスが“１”のときは電圧・電流変換器１３１，１３３の出力電流を加算した電流で駆動され、記録パルスが“０”のときは電圧・電流変換器１３１の出力電流のみで駆動される。このとき、フロントモニタ用受光素子７２で検出される記録パルスが“１”のときのレーザパワーはサンプルホールド回路９４にサンプルホールドされ、記録パルスが“０”のときのレーザパワーはサンプルホールド回路９２にサンプルホールドされる。アンプ１１９は記録パルスが“０”のときのレーザパワーを設定器１１１に設定された適宜の再生パワー指令電圧値Ｖ１に相当するパワーに制御する。アンプ１２１は、記録パルスが“１”のときのレーザパワーを設定器１１３に設定された適宜の記録パワー指令電圧値Ｖ２に相当するパワーに制御する。これにより、記録パルスに応じたデータ記録が行われる。フォーカス制御およびトラッキング制御は記録パルスが“０”のとき（つまり再生パワー時）のＣＤ用レーザ光２０の戻り光に基づいて行われる。光ピックアップ１６のスレッド送り制御はＣＤ用レーザ光２０によるトラッキングエラー信号の直流成分に基づいて行われる。スピンドル制御はウォブル信号に基づくＣＬＶ制御で行われる。記録パルスはウォブル信号に同期して一定のビットレートで生成される。
【００６３】
《既存のＣＤ−Ｒまたは図２、図３の描画層付きＣＤ−Ｒのデータ再生時》
図８のスイッチ５７，６７はそれぞれＣＤ側に接続される。液晶補正素子５３は駆動されない。図９のサーボスイッチ１００はオンされ、サーボスイッチ１０２，１０４，１０６はオフされる。これにより、ＣＤ用レーザダイオード駆動回路７８は能動状態となり、ＤＶＤ用レーザダイオード駆動回路８０は休止状態（ＤＶＤ用レーザダイオード５２はオフ）となる。スイッチ１２７，１２９は常時オフされる。これにより、ＣＤ用レーザダイオード５０は電圧・電流変換器１３１の出力電流のみで連続駆動される。このとき、フロントモニタ用受光素子７２で検出されるレーザパワーはサンプルホールド回路９２に所定周期でサンプルホールドされる。アンプ１１９はレーザパワーを設定器１１１に設定された適宜の再生パワー指令電圧値Ｖ１に相当するパワーに制御する。これにより、データ再生が行われる。フォーカス制御およびトラッキング制御はＣＤ用レーザ光２０の戻り光に基づいて行われる。光ピックアップ１６のスレッド送り制御はＣＤ用レーザ光２０によるトラッキングエラー信号の直流成分に基づいて行われる。スピンドル制御はウォブル信号または再生クロックに基づくＣＬＶ制御で行われる。
【００６４】
《既存のＤＶＤ−Ｒ（＋Ｒ）または図４の描画層付きＤＶＤ−Ｒ（＋Ｒ）のデータ単独記録時》
図８のスイッチ５７，６７はそれぞれＤＶＤ側に接続される。液晶補正素子５３は駆動されない。図９のサーボスイッチ１０４，１０６はオンされ、サーボスイッチ１００，１０２はオフされる。これにより、ＤＶＤ用レーザダイオード駆動回路８０は能動状態となり、ＣＤ用レーザダイオード駆動回路７８は休止状態（ＣＤ用レーザダイオード５０はオフ）となる。スイッチ１２９は記録パルスの信号レベル“１”、“０”に応じてオン、オフされる。これにより、ＤＶＤ用レーザダイオード５２は、記録パルスが“１”のときは電圧・電流変換器１３５，１３７の出力電流を加算した電流で駆動され、記録パルスが“０”のときは電圧・電流変換器１３５の出力電流のみで駆動される。このとき、フロントモニタ用受光素子７３で検出される記録パルスが“１”のときのレーザパワーはサンプルホールド回路９８にサンプルホールドされ、記録パルスが“０”のときのレーザパワーはサンプルホールド回路９６にサンプルホールドされる。アンプ１２３は記録パルスが“０”のときのレーザパワーを設定器１１５に設定された適宜の再生パワー指令電圧値Ｖ３に相当するパワーに制御する。アンプ１２５は、記録パルスが“１”のときのレーザパワーを設定器１１７に設定された適宜の記録パワー指令電圧値Ｖ４に相当するパワーに制御する。これにより、記録パルスに応じたデータ記録が行われる。フォーカス制御およびトラッキング制御は記録パルスが“０”のとき（つまり再生パワー時）のＤＶＤ用レーザ光２２の戻り光に基づいて行われる。光ピックアップ１６のスレッド送り制御はＤＶＤ用レーザ光２２によるトラッキングエラー信号の直流成分に基づいて行われる。スピンドル制御はウォブル信号に基づくＣＬＶ制御で行われる。記録パルスはウォブル信号に同期して一定のビットレートで生成される。
【００６５】
《既存のＤＶＤ−Ｒ（＋Ｒ）または図４の描画層付きＤＶＤ−Ｒ（＋Ｒ）のデータ再生時》
図８のスイッチ５７，６７はそれぞれＤＶＤ側に接続される。液晶補正素子５３は駆動されない。図９のサーボスイッチ１０４はオンされ、サーボスイッチ１００，１０２，１０６はオフされる。これにより、ＤＶＤ用レーザダイオード駆動回路８０は能動状態となり、ＣＤ用レーザダイオード駆動回路７８は休止状態（ＣＤ用レーザダイオード５０はオフ）となる。スイッチ１２７，１２９は常時オフされる。これにより、ＤＶＤ用レーザダイオード５２は電圧・電流変換器１３５の出力電流のみで連続駆動される。このとき、フロントモニタ用受光素子７３で検出されるレーザパワーはサンプルホールド回路９６に所定周期でサンプルホールドされる。アンプ１２３はレーザパワーを設定器１１５に設定された適宜の再生パワー指令電圧値Ｖ３に相当するパワーに制御する。これにより、データ再生が行われる。フォーカス制御およびトラッキング制御はＤＶＤ用レーザ光２２の戻り光に基づいて行われる。光ピックアップ１６のスレッド送り制御はＤＶＤ用レーザ光２２によるトラッキングエラー信号の直流成分に基づいて行われる。スピンドル制御はウォブル信号または再生クロックに基づくＣＬＶ制御で行われる。
【００６６】
《図２、図３の描画層付きＣＤ−Ｒまたは図４の描画層付きＤＶＤ−Ｒ（＋Ｒ）の同時記録・描画時（初期調整）》
同時・記録描画を行うときは、予め液晶補正素子５３でＣＤ用レーザ光２０とＤＶＤ用レーザ光２２の合焦位置間距離の調整を行う。この調整は例えば次のようにして行われる。光ディスク装置１０に光ディスク１２を装填し、光ピックアップ１６をデータ記録層３６と描画層２６が積層されている領域に移動し、図９のサーボスイッチ１０４をオンし、サーボスイッチ１００，１０２，１０６をオフし、スイッチ１２７，１２９をオフして、レーザダイオード５２を再生パワーで（電圧・電流変換器１３５の出力電流のみで）連続駆動する。この状態で図８のスイッチ５７をＤＶＤ側に接続し、ＤＶＤ用レーザ光２２の戻り光信号から検出されるフォーカスエラー信号を使用したサーボループによりフォーカスアクチュエータ７４を駆動して、ＤＶＤのデータ記録層に相当する位置にある層（図２、図３の描画層付きＣＤ−Ｒの場合は描画層２６、図４の描画層付きＤＶＤ−Ｒ（＋Ｒ）の場合はデータ記録層３６）に対しフォーカス制御を行う。
【００６７】
このフォーカス制御で合焦状態が得られたら、この合焦状態を保ったまま（フォーカスサーボをオンしたまま）図９のサーボスイッチ１００をオンし、レーザダイオード５０を再生パワーで（電圧・電流変換器１３１の出力電流のみで）連続駆動する。このとき図８のスイッチ６１はＣＤ側に接続し、スイッチ６３は接点Ｂ側に接続し、ＣＤ用レーザ光２０の戻り光から検出されるフォーカスエラー信号を使用したサーボループにより液晶補正素子５３を駆動して、ＣＤのデータ記録層に相当する位置にある層（図２、図３の描画層付きＣＤ−Ｒの場合はデータ記録層３６、図４の描画層付きＤＶＤ−Ｒ（＋Ｒ）の場合は描画層２６）に対しフォーカス制御を行う。このフォーカス制御で所望の合焦状態（ジャストフォーカス状態または描画に好適なビームスポット径が得られるようにジャストフォーカスから少し外れた状態）が得られたら、光ディスク１２内で２本のレーザ光２０，２２の合焦位置間距離はデータ記録層３６と描画層２６間の距離に調整されたことになるので、そのときの調整値（液晶補正素子５３の駆動値）を図８のＡ／Ｄ変換器５１でディジタルデータに変換し、制御部１９内に格納する。その後、スイッチ６３は接点Ｃに接続され、制御部１９は前記格納した駆動電圧データをＤ／Ａ変換して固定電圧としてスイッチ６３の接点Ｃに供給する。以後、同時記録・描画動作を終了するまで、この固定電圧で液晶補正素子５３を駆動して、２本のレーザ光２０，２２の合焦位置間距離をこの調整された状態に保持する。以上で同時・記録描画時の初期調整を終了する。
【００６８】
《図２、図３の描画層付きＣＤ−Ｒの同時記録・描画時（同時記録・描画実行時）》
図８のスイッチ５７をＣＤ側に接続し、ＣＤ用レーザ光２０の戻り光信号から検出されるフォーカスエラー信号を使用したサーボループによりフォーカスアクチュエータ７４を駆動してデータ記録層３６に対しフォーカス制御を行う。同様に、スイッチ６７をＣＤ側に接続し、ＣＤ用レーザ光２０の戻り光信号から検出されるトラッキングエラー信号を使用したサーボループによりトラッキングアクチュエータ７６を駆動してデータ記録層３６に対しトラッキング制御を行う。また、このとき直流成分検出回路７５で検出されるトラッキングエラー信号の直流成分を使用したサーボループによりスレッド送りモータ１１を駆動してスレッド送り制御を行う。スピンドル制御はＦＧパルスが所定の基準クロックに同期するようにスピンドルモータ１４を駆動するＣＡＶ制御で行う。描画パルスはこの基準クロックに同期して一定のビットレートで生成される。記録パルスはウォブル信号に同期して一定のビットレートで生成される。これにより、データ記録および描画が同時に正しく行われる。
【００６９】
同時記録・描画実行時は、図９のサーボスイッチ１００，１０２，１０４，１０６をすべてオンする。また、スイッチ１２７を記録パルスの信号レベル“１”、“０”に応じてオン、オフする。これによりＣＤ用レーザダイオード５０は、記録パルスが“１”のときは電圧・電流変換器１３１，１３３の出力電流を加算した電流で駆動され、記録パルスが“０”のときは電圧・電流変換器１３１の出力電流のみで駆動される。このとき、フロントモニタ用受光素子７２で検出される記録パルスが“１”のときのレーザパワーはサンプルホールド回路９４にサンプルホールドされ、記録パルスが“０”のときのレーザパワーはサンプルホールド回路９２にサンプルホールドされる。アンプ１１９は記録パルスが“０”のときのレーザパワーを設定器１１１に設定された適宜の再生パワー指令電圧値Ｖ１に相当するパワーに制御する。アンプ１２１は、記録パルスが“１”のときのレーザパワーを設定器１１３に設定された適宜の記録パワー指令電圧値Ｖ２に相当するパワーに制御する。これにより、記録パルスに応じたデータ記録が行われる。フォーカス制御およびトラッキング制御は記録パルスが“０”のとき（つまり再生パワー時）のＣＤ用レーザ光２０の戻り光に基づいて行われる。
【００７０】
同時記録・描画実行時は、データ記録と並行して、スイッチ１２９を描画パルスの信号レベル“１”、“０”に応じてオン、オフする。これにより、ＤＶＤ用レーザダイオード５２は、描画パルスが“１”のときは電圧・電流変換器１３５，１３７の出力電流を加算した電流で駆動され、描画パルスが“０”のときは電圧・電流変換器１３５の出力電流のみで駆動される。このとき、フロントモニタ用受光素子７３で検出される描画パルスが“１”のときのレーザパワーはサンプルホールド回路９８にサンプルホールドされ、描画パルスが“０”のときのレーザパワーはサンプルホールド回路９６にサンプルホールドされる。アンプ１２３は描画パルスが“０”のときのレーザパワーを設定器１１５に設定された適宜の再生パワー（非描画パワー）指令電圧値Ｖ３に相当するパワーに制御する。アンプ１２５は、描画パルスが“１”のときのレーザパワーを設定器１１７に設定された適宜の記録パワー（描画パワー）指令電圧値Ｖ４に相当するパワーに制御する。これにより、描画パルスに応じた描画が行われる。なお、描画用レーザ光のレーザパワーはデータ記録用レーザ光のレーザパワーほど厳密さは必要ないので、描画用レーザ光（この場合ＤＶＤ用レーザ光２２）についてはサーボループを形成することなく固定の駆動電流｛再生（非描画）パワー用駆動電流および記録（描画）パワー用駆動電流｝で駆動することもできる。このとき、サーボスイッチ１０４，１０６はオフされ、アンプ１２３，１２５はバッファーアンプとして固定電圧Ｖ３，Ｖ４をそれぞれ出力する。
【００７１】
この同時記録・描画時の合焦状態は前出の図２、図３に示すようになる。すなわち、ＣＤ用レーザ光２０はデータ記録層３６に合焦し、ＤＶＤ用レーザ光２２は描画層２６に合焦した状態となる。ＤＶＤ用レーザ光２２は、トラッキング制御されているＣＤ用レーザ光２０と一体にディスク径方向に移動するので、トラックピッチに相当する径方向密度で描画が行われる。
【００７２】
《図４の描画層付きＤＶＤ−Ｒ（＋Ｒ）の同時記録・描画時（同時記録・描画実行時）》
図８のスイッチ５７をＤＶＤ側に接続し、ＤＶＤ用レーザ光２２の戻り光信号から検出されるフォーカスエラー信号を使用したサーボループによりフォーカスアクチュエータ７４を駆動してデータ記録層３６に対しフォーカス制御を行う。同様に、スイッチ６７をＤＶＤ側に接続し、ＤＶＤ用レーザ光２２の戻り光信号から検出されるトラッキングエラー信号を使用したサーボループによりトラッキングアクチュエータ７６を駆動してデータ記録層３６に対しトラッキング制御を行う。また、このとき直流成分検出回路７５で検出されるトラッキングエラー信号の直流成分を使用したサーボループによりスレッド送りモータ１１を駆動してスレッド送り制御を行う。スピンドル制御はＦＧパルスが所定の基準クロックに同期するようにスピンドルモータ１４を駆動するＣＡＶ制御で行う。描画パルスはこの基準クロックに同期して一定のビットレートで生成される。記録パルスはウォブル信号に同期して一定のビットレートで生成される。これにより、データ記録および描画が正しく行われる。
【００７３】
同時記録・描画実行時は、図９のサーボスイッチ１００，１０２，１０４，１０６をすべてオンする。また、スイッチ１２９を記録パルスの信号レベル“１”、“０”に応じてオン、オフする。これによりＤＶＤ用レーザダイオード５２は、記録パルスが“１”のときは電圧・電流変換器１３５，１３７の出力電流を加算した電流で駆動され、記録パルスが“０”のときは電圧・電流変換器１３５の出力電流のみで駆動される。このとき、フロントモニタ用受光素子７３で検出される記録パルスが“１”のときのレーザパワーはサンプルホールド回路９８にサンプルホールドされ、記録パルスが“０”のときのレーザパワーはサンプルホールド回路９６にサンプルホールドされる。アンプ１２３は記録パルスが“０”のときのレーザパワーを設定器１１５に設定された適宜の再生パワー指令電圧値Ｖ３に相当するパワーに制御する。アンプ１２４は、記録パルスが“１”のときのレーザパワーを設定器１１７に設定された適宜の記録パワー指令電圧値Ｖ４に相当するパワーに制御する。これにより、記録パルスに応じたデータ記録が行われる。フォーカス制御およびトラッキング制御は記録パルスが“０”のとき（つまり再生パワー時）のＤＶＤ用レーザ光２２の戻り光に基づいて行われる。
【００７４】
同時記録・描画実行時は、データ記録と並行して、スイッチ１２７を描画パルスの信号レベル“１”、“０”に応じてオン、オフする。これにより、ＣＤ用レーザダイオード５０は、描画パルスが“１”のときは電圧・電流変換器１３１，１３３の出力電流を加算した電流で駆動され、描画パルスが“０”のときは電圧・電流変換器１３１の出力電流のみで駆動される。このとき、フロントモニタ用受光素子７２で検出される描画パルスが“１”のときのレーザパワーはサンプルホールド回路９４にサンプルホールドされ、描画パルスが“０”のときのレーザパワーはサンプルホールド回路９２にサンプルホールドされる。アンプ１１９は描画パルスが“０”のときのレーザパワーを設定器１１１に設定された適宜の再生パワー（非描画パワー）指令電圧値Ｖ１に相当するパワーに制御する。アンプ１２１は、描画パルスが“１”のときのレーザパワーを設定器１１３に設定された適宜の記録パワー（描画パワー）指令電圧値Ｖ２に相当するパワーに制御する。これにより、描画パルスに応じた描画が行われる。なお、描画用レーザ光のレーザパワーはデータ記録用レーザ光のレーザパワーほど厳密さは必要ないので、描画用レーザ光（この場合ＣＤ用レーザ光２０）についてはサーボループを形成することなく固定の駆動電流｛再生（非描画）パワー用駆動電流および記録（描画）パワー用駆動電流｝で駆動することもできる。このとき、サーボスイッチ１００，１０２はオフされ、アンプ１１９，１２１はバッファーアンプとして固定電圧Ｖ１，Ｖ２をそれぞれ出力する。
【００７５】
この同時記録・描画時の合焦状態は前出の図４に示すようになる。すなわち、ＤＶＤ用レーザ光２２はデータ記録層３６に合焦し、ＣＤ用レーザ光２０は描画層２６に合焦した状態となる。ＣＤ用レーザ光２０は、トラッキング制御されているＤＶＤ用レーザ光２２と一体にディスク径方向に移動するので、トラックピッチに相当する径方向密度で描画が行われる。
【００７６】
次に、同時記録・描画時の制御手順を図１２を参照して説明する。図１２の制御は図４の描画層付きＤＶＤ−Ｒ（＋Ｒ）を使用して、ＤＶＤ用レーザ光２２でデータ記録を行いＣＤ用レーザ光２０で描画を行う場合を想定している。また、図１２の制御は図１３に示す同時記録・描画の２つのケースを考慮している。いずれのケースもデータ記録はＤＡＯ（ディスク・アット・ワンス）記録で行われる。図１３（ａ）のケース１は半径ｒ１で先にデータ記録を開始し、データ記録の途中の半径ｒ２で描画を開始し、半径ｒ２〜ｒ５でデータ記録と描画を並行して行い（途中の半径ｒ３〜ｒ４の区間は描画を休止）、半径ｒ５でデータ記録を先に終了し、その後半径ｒ６で描画を終了するものである。半径ｒ５〜ｒ６は描画のみ行われるが、この間トラッキング制御を続ける必要があるので、ＤＶＤ用レーザ光２２を再生パワーで駆動する。図１３（ｂ）のケース２は半径ｒ１〜ｒ２でデータ記録を行い、その後半径ｒ３〜ｒ４で描画を行うものである。半径ｒ３〜ｒ４は描画のみ行われるが、この間トラッキング制御を続ける必要があるので、半径ｒ２でデータ記録を終了してから半径ｒ４で描画を終了するまでの間はＤＶＤ用レーザ光２２を再生パワーで駆動する。
【００７７】
図１２の制御について説明する。はじめに同時記録・描画時のディスク回転数を設定し、スピンドルモータ１４をその回転数にＣＡＶ制御する（Ｓ１）。続いて両レーザ光２０，２２を点灯してそれぞれのパワー調整を行う（Ｓ２）。すなわち、ＤＶＤ用レーザ光２２についてはフロントモニタ用受光素子７３（図５、図９）でそのレーザパワーを検出し、所定の再生パワーと記録パワーが得られるようにＤＶＤ用レーザ光２２の駆動電流を調整する。この調整した状態でデータ記録を開始し、データ記録中もこのサーボループを使用して、ＡＬＰＣ制御によりレーザパワーが上記所定の再生パワーと記録パワーに保たれるようにする。また、ＣＤ用レーザ光２０についてはフロントモニタ用受光素子７２（図５、図９）でそのレーザパワーを検出し、所定の再生パワー（非描画パワー）と記録パワー（描画パワー）が得られるようにＣＤ用レーザ光２０の駆動電流を調整する。この調整した状態で描画を開始し、描画中もこのサーボループを使用して、ＡＬＰＣ制御によりレーザパワーが上記所定の再生パワー（非描画パワー）と記録パワー（描画パワー）に保たれるようにする。
【００７８】
続いてＤＶＤ用レーザ光２２についてフォーカス制御およびトラッキング制御をオンする（Ｓ３）。フォーカス制御およびトラッキング制御がロック状態に引き込まれたら、ＣＤ用レーザ光２２により検出されるフォーカスエラーに基づき液晶補正素子５３を駆動してＣＤ用レーザ光２０とＤＶＤ用レーザ光２２の合焦位置間距離の調整を行う（Ｓ４）。この調整を終了したら、この調整された合焦位置間距離を同時記録・描画が終了するまで保持する。そして、ＤＶＤ用レーザ光２２を用いてＯＰＣ制御（Optimum Power Control）を実行し、データ記録に使用する最適記録パワーを求める（Ｓ５）。このとき、同時記録・描画実行中に近い状態でＯＰＣ制御を行うために、ＣＤ用レーザ光２０を適宜の描画パルスで駆動しながらＯＰＣ制御を行うこともできる。最適記録パワーが求められたら、光ピックアップ１６をデータ記録開始位置に移動させる（Ｓ６）。ＣＤ用レーザ光２０については描画さえできればよいので、ＯＰＣ制御を行う必要はなく、固定の記録パワー（描画パワー）を使用する。最適記録パワーが求められたら、記録パワーをその値に設定してデータ記録開始位置（図１３（ａ），（ｂ）の半径ｒ１の位置）からデータ記録を開始する（Ｓ７）。データ記録の進行に伴い、光ピックアップ１６をスレッド送り制御によりディスク外周方向に順次移送する（Ｓ８）。
【００７９】
その後描画開始位置に到達したら（Ｓ９）（図１３（ａ）の半径ｒ２）、ＣＤ用レーザ光２０のパワーを描画パルスで変調して描画を開始する（Ｓ１０）。そしてデータ記録と描画を同時に行いながら、その進行に伴い光ピックアップ１６をＤＶＤ用レーザ光２２に基づくスレッド送り制御によりディスク外周方向に順次移送する（Ｓ１１）。その後データ記録が描画よりも先に終了するときは（Ｓ１２で“ＹＥＳ”）（図１３（ａ）の半径ｒ５）、データ記録を終了した時点でＤＶＤ用レーザ光２２について記録パワーをオフし、再生パワーでトラッキング制御を続行する（Ｓ１３）。そして描画が終了したら（Ｓ１４）（図１３（ａ）の半径ｒ６）、制御を終了する。描画がデータ記録よりも先に終了するときは（Ｓ１２で“ＮＯ”）、描画を終了したらＣＤ用レーザ光２０を消灯し（Ｓ１５）、その後データ記録を終了したらＤＶＤ用レーザ光２２を消灯して制御を終了するＳ１６）。
【００８０】
描画開始位置に到達する前に（Ｓ９で“ＮＯ”）データ記録を終了した場合は（Ｓ１７で“ＹＥＳ”）（図１３（ｂ）の半径ｒ２）、データ記録を終了した時点でＤＶＤ用レーザ光２２について記録パワーをオフする（Ｓ１８）。そして光ピックアップ１６を描画開始位置に移動させ（Ｓ１９）（図１３（ｂ）の半径ｒ３）、再生パワーのＤＶＤ用レーザ光２２でデータ記録層３６にトラッキング制御を行って（Ｓ２０）、ＣＤ用レーザ光２０で描画を開始し（Ｓ２１）、描画を行う（Ｓ２２）。そして描画が終了したら（Ｓ２３）（図１３（ｂ）の半径ｒ４）、制御を終了する。
【００８１】
なお、以上は図４の描画層付きＤＶＤ−Ｒ（＋Ｒ）を使用して、ＤＶＤ用レーザ光２２でデータ記録を行いＣＤ用レーザ光２０で描画を行う場合について説明したが、図２、図３の描画層付きＣＤ−Ｒを使用して、ＣＤ用レーザ光２０でデータ記録を行いＤＶＤ用レーザ光２２で描画を行う場合は、図１２のステップＳ５以降の制御についてＤＶＤに関する制御とＣＤに関する制御を入れ換えた内容にすればよい。
【００８２】
また、以上は同時記録・描画動作実行中に、２本のレーザ光２０，２２の合焦位置間距離を、同時記録・描画動作実行前の初期調整で調整した状態に保持する場合について説明したが、これに代えて、同時記録・描画動作実行中に直流成分検出回路７９（図８点線）でフォーカス制御に使用していない方のフォーカスエラー信号の直流成分を検出してスイッチ６３の接点Ａに供給し、スイッチ６３を接点Ａに接続してこの直流成分を打ち消すように液晶補正素子５３を制御することもできる。
【００８３】
また、以上説明した実施の形態では液晶補正素子５３をＣＤ用レーザ光２０の光軸に配置した場合について説明したが、ＤＶＤ用レーザ光２２の光軸に配置することもできる。液晶補正素子５３をＣＤ用レーザ光２０の光軸に配置した場合と、ＤＶＤ用レーザ光２２の光軸に配置した場合の制御内容をまとめると表１のようになる。
【００８４】
【表１】
2008033994.tif 000003
【００８５】
次に、バッファアンダーラン防止機能について説明する。
《データ単独記録時のバッファアンダーラン防止機能》
データ単独記録時に図１の記録データ用バッファアンダーラン接近状態検出手段４５は、記録データ用バッファメモリ１５Ａに格納されている転送待ち記録データのデータ量を常時監視し、バッファアンダーラン接近状態（記録データ用バッファメモリ１５Ａの転送待ち記録データのデータ量が所定量以下に減少した状態）の有無を検出する。制御部１９は、該バッファアンダーラン接近状態が検出されたときに、所定のバッファアンダーラン処理を実行する。このバッファアンダーラン処理は、例えば、データ記録を一旦中断して、ホストコンピュータ１３から記録データ用バッファメモリ１５Ａへの記録データの転送を続け、記録データ用バッファメモリ１５Ａの転送待ち記録データのデータ量が、十分とされる所定量に回復するのを待って、データ記録の中断位置の手前をシークし、データ記録の中断位置に達したらデータ記録を再開することにより行われる。
【００８６】
《同時記録・描画時のバッファアンダーラン防止機能》
同時記録・描画時の図１の制御部１９によるバッファアンダーラン防止制御の制御フローを図１４に示す。これは、記録データ用バッファメモリ１５Ａのバッファアンダーラン防止制御と、画像データ用バッファメモリ１５Ｂのバッファアンダーラン防止制御の双方を含んでいる。図１４の制御について説明する。同時記録・描画の実行指令が出されると、データ記録が開始され（Ｓ３０）、続いて描画が開始される（Ｓ３１）。同時記録・描画の実行中は、図１の記録データ用バッファアンダーラン接近状態検出手段４５は、記録データ用バッファメモリ１５Ａに格納されている転送待ち記録データのデータ量を常時監視し、バッファアンダーラン接近状態（記録データ用バッファメモリ１５Ａの転送待ち記録データのデータ量が所定量以下に減少した状態）の有無を検出する（Ｓ３２）。また、画像データ用バッファアンダーラン状態検出手段４７は、画像データ用バッファメモリ１５Ｂに格納されている転送待ち画像データのデータ量を常時監視し、バッファアンダーラン状態（該転送待ち画像データのデータ量が０になった状態）の有無を検出する（Ｓ３２）。
【００８７】
データ記録側でバッファアンダーラン接近状態が検出されると（Ｓ３２で「データ記録側で発生」）、データ記録を中断し（Ｓ３３）、これと同時またはその後に描画を中断して（Ｓ３４）、データ記録側のバッファアンダーラン処理を実行する（Ｓ３５）。このバッファアンダーラン処理は、例えば、データ記録および描画を一旦中断して、ホストコンピュータ１３から記録データ用バッファメモリ１５Ａへの記録データの転送を続け、記録データ用バッファメモリ１５Ａの転送待ち記録データのデータ量が、十分とされる所定量に回復するのを待って、データ記録の中断位置の手前をシークし、データ記録の中断位置に達したらデータ記録を再開し（Ｓ３６）、これと同時またはその後に描画動作を再開させる（Ｓ３７）ことにより行われる。
【００８８】
一方、描画側でバッファアンダーラン状態が検出された場合は（Ｓ３２で「描画側で発生」）、描画を中断し（Ｓ３８）、データ記録をそのまま続行して（Ｓ３９）、描画側のバッファアンダーラン処理を実行する（Ｓ４０）。このバッファアンダーラン処理は、例えば、描画中断中もデータ記録位置が進行するため、描画中断によるディスク半径方向の描画欠落幅が目視で目立たない程度の所定幅に収まるように、該所定幅に相当するディスク回転数分だけ描画を中断して、その間ホストコンピュータ１３から画像データ用バッファメモリ１５Ｂへの画像データの転送を続け、中断開始から該ディスク回転数分回転し終えたら、描画動作を再開させる（Ｓ４１）ことにより行うことができる。
【００８９】
なお、描画側のバッファアンダーラン処理を実行中にデータ記録側でバッファアンダーラン接近状態が検出された場合は、データ記録を併せて中断し（Ｓ３３）、データ記録側のバッファアンダーラン処理（Ｓ３５）を併せて実行する。そして、記録データ用バッファメモリ１５Ａの転送待ち記録データのデータ量および画像データ用バッファメモリ１５Ｂの転送待ち画像データのデータ量がともに、十分とされる所定量に回復するのを待って、データ記録の中断位置からデータ記録を再開し（Ｓ３６）、これと同時またはその後に描画動作を再開させる（Ｓ３７）ことができる。
【００９０】
図１５は図１４の制御による、データ記録側でバッファアンダーラン接近状態が検出されたときの動作を示す。図１５の（ａ）はデータ記録層におけるデータ記録位置の軌跡を示し、（ｂ）は描画層における描画位置の軌跡（点線は描画欠落区間）を示す。図１６は図１５の動作による記録・描画径方向位置の時間変化を示す（実線はデータ記録、一点鎖線は描画）。なお、図１６は見易くするためにデータ記録と描画が同時に行われる領域（半径ｒ１〜ｒ２間、半径ｒ２〜）についてデータ記録の線と描画の線を離して図示しているが、実際にはこの領域においてデータ記録位置と描画位置は同一時刻には同一径方向位置にある。図１５の動作について図１６を参照しながら説明する。
【００９１】
（１）位置Ｐｏ１でデータ記録が開始される。
（２）描画基準線Ｌ（後述）上の位置Ｐｏ３（ｒ１，０）（図１０の位置Ｐ１１）で描画が開始される。
（３）位置Ｐｏ２（時刻Ｔ１）でデータ記録側のバッファアンダーラン接近状態が検出される。これにより、データ記録側の記録パワーをオフしてデータ記録を中断させる。
（４）位置Ｐｏ２’（ｒ２，θ１）で描画側の記録パワーをオフして描画も中断させる。このとき画像データ用バッファメモリ１５Ｂ内に残っている画像データの内、位置Ｐｏ２’から描画再開位置Ｐｏ４の直前までの領域に相当するデータをクリア（廃棄）する（描画再開位置Ｐｏ４以降のデータは残す）。位置Ｐｏ２’はバッファアンダーラン接近状態が検出された時刻Ｔ１から描画側の記録パワーをオフさせる指示が下されるまでの時間Δｔに相当する分だけ位置Ｐｏ２に対してずれる。
（５）データ記録側でバッファアンダーラン処理が実行される。これにより、ホストコンピュータ１３から記録データ用バッファメモリ１５Ａに記録データが補給されて、そのデータ量が、十分とされる所定量まで回復する。併せて、ホストコンピュータ１３から画像データ用バッファメモリ１５Ｂに画像データ（描画再開位置Ｐｏ４以降のデータで、未だ画像データ用バッファメモリ１５Ｂに格納されていないデータ）が、十分とされる所定量まで補給される。なお、データ記録はその中断位置Ｐｏ２から書き継ぐことができるが、描画はその中断位置Ｐｏ２’（つまり任意の周方向位置）から書き継ぐのは難しく高い精度が要求される。書き継ぎ位置が正確な位置から周方向に少しでもずれると、書き継ぎ前の画像と書き継ぎ後の画像とが相互に周方向にずれてしまう。そこで、図１５の例では描画開始位置Ｐｏ３を通りディスク放射方向に延びる仮想的な半直線を描画基準線Ｌ（図１０のθ＝０の位置に相当）と定め（描画基準線Ｌの到来タイミングはＦＧパルス発生位置を基準として基準クロックをカウントすることにより正確に検出可能である）、描画中断位置Ｐｏ２’を通過後初めて到来する描画基準線Ｌ上の位置Ｐｏ４（図１０のθ＝０上の位置Ｐ２１，Ｐ３１，・・・，Ｐｍ１のいずれか）から描画を書き継ぐようにする。したがって、この場合、画像データ用バッファメモリ１５Ｂにはバッファアンダーラン処理時に、書き継ぎ開始位置（描画再開位置）Ｐｏ４以降の画像データで、未だ画像データ用バッファメモリ１５Ｂに格納されていないデータが補給される。
（６）データ記録の中断位置Ｐｏ２からデータ記録を再開する（時刻Ｔ２）。記録されるデータは中断された直後のデータからである。これによりデータ欠落のない完全な書き継ぎが実現され、記録データの連続性を保つことができる。
（７）位置Ｐｏ４（ｒ２，０）で描画が再開される。描画中断位置Ｐｏ２’から描画再開位置Ｐｏ４まで描画が欠落することになるが、半径方向の描画欠落幅はごくわずか（図１５の例ではトラック１本分）であり、人の目では通常視認できない程度の欠落である。したがって、形成される可視画像の連続性を保つ（またはほぼ保つ）ことができる。しかも、位置Ｐｏ４は描画基準線Ｌ上の位置であり、描画基準線Ｌの到来タイミングはＦＧパルス発生位置を基準として基準クロックをカウントすることにより正確に検出可能なので、書き継ぎ前の画像と書き継ぎ後の画像とが相互に周方向にずれるのを防止することができる。
【００９２】
図１７は図１４の制御による、描画側でバッファアンダーラン状態が検出されたときの動作を示す。図１７の（ａ）はデータ記録層におけるデータ記録位置の軌跡を示し、（ｂ）は描画層における描画位置の軌跡（点線は描画欠落区間）を示す。図１８は図１７の動作による記録・描画径方向位置の時間変化を示す（実線はデータ記録、一点鎖線は描画）。なお、図１８は見易くするためにデータ記録と描画が同時に行われる領域（半径ｒ４〜ｒ５間、半径ｒ６〜）についてデータ記録の線と描画の線を離して図示しているが、実際にはこの領域においてデータ記録位置と描画位置は同一時刻には同一径方向位置にある。図１７の動作について図１８を参照しながら説明する。
【００９３】
（１）位置Ｐｏ５でデータ記録が開始される。
（２）描画基準線Ｌ上の位置Ｐｏ６（ｒ４，０）（図１０の位置Ｐ１１）で描画が開始される。
（３）位置Ｐｏ７（ｒ５，θ２）で描画側のバッファアンダーラン状態が検出される（時刻Ｔ３）。これにより、描画側の記録パワーをオフして描画を中断させる。この時、画像データ用バッファメモリ１５Ｂ内のデータ量は０である。
（４）データ記録はそのまま続行する。
（５）描画側でバッファアンダーラン処理が実行される。これにより、ホストコンピュータ１３から画像データ用バッファメモリ１５Ｂに画像データが補給される。補給される画像データは、描画基準線Ｌ上の描画再開位置Ｐｏ８（ｒ６，０）以降のデータである。この描画再開位置Ｐｏ８のディスク径方向位置ｒ６は、例えば半径方向の描画欠落幅が目視で目立たない程度の所定幅に収まるように、描画中断位置Ｐｏ７のディスク半径方向位置ｒ５から所定トラック本数分半径方向に離れた位置である。この半径位置ｒ５、ｒ６間のトラック本数は、データ記録中の光スポットが半径位置ｒ６を通過する頃には画像データ用バッファメモリ１５Ｂ内に画像データが十分に補給されるものと推測される値として予め設定される値で、描画中断半径位置ｒ５の半径値によらず固定の値である。
（６）位置Ｐｏ７で描画を中断後、上記所定トラック本数分回転したら、描画基準線Ｌ上の位置Ｐｏ８で描画を再開させる（時刻Ｔ４）。描画を中断している時刻Ｔ３からＴ４までの間もデータ記録は進行するが、これによる画像欠落幅は前述のように目視で目立たない程度の所定幅に抑えられている。したがって、形成される可視画像の連続性をほぼ保つことができる。また、描画を中断してもデータ記録は中断しないので、データ記録の連続性を確実に保つことができる。
【００９４】
前記図１４の制御によれば、データ記録側でバッファアンダーラン接近状態が検出されたときに、データ記録を中断し（Ｓ３３）、これと同時またはその後に描画を中断して（Ｓ３４）、データ記録側のバッファアンダーラン処理を実行する（Ｓ３５）ようにしたが、ステップＳ３５、Ｓ３４の順序を入れ替えることもできる。この制御について説明する。
【００９５】
図１９は制御フローを示す。これは、前出の図１４の制御フローのステップＳ３３，Ｓ３４，Ｓ３５に置き換えてステップＳ３３’，Ｓ３４’，Ｓ３５’を配置したものである。ステップＳ３３’，Ｓ３４’，Ｓ３５’以外は図１４と同じである。図１９の制御について説明する。同時記録・描画の実行指令が出されると、データ記録が開始され（Ｓ３０）、続いて描画が開始される（Ｓ３１）。同時記録・描画の実行中は、図１の記録データ用バッファアンダーラン接近状態検出手段４５は、記録データ用バッファメモリ１５Ａに格納されている転送待ち記録データのデータ量を常時監視し、バッファアンダーラン接近状態（記録データ用バッファメモリ１５Ａの転送待ち記録データのデータ量が所定量以下に減少した状態）の有無を検出する（Ｓ３２）。また、画像データ用バッファアンダーラン状態検出手段４７は、画像データ用バッファメモリ１５Ｂに格納されている転送待ち画像データのデータ量を常時監視し、バッファアンダーラン状態（該転送待ち画像データのデータ量が０になった状態）の有無を検出する（Ｓ３２）。
【００９６】
データ記録側でバッファアンダーラン接近状態が検出されると（Ｓ３２で「データ記録側で発生」）、描画を続行したままデータ記録を中断し（Ｓ３３’）、データ記録側のバッファアンダーラン処理を実行する（Ｓ３４’）。このバッファアンダーラン処理は、例えば、データ記録を一旦中断して、ホストコンピュータ１３から記録データ用バッファメモリ１５Ａへの記録データの転送を続け（このとき、ホストコンピュータ１３から画像データ用バッファメモリ１５Ｂへの画像データの転送も続けられる）、記録データ用バッファメモリ１５Ａの転送待ち記録データのデータ量が、十分とされる所定量に回復したら描画を中断し（Ｓ３５’）、次いでデータ記録の中断位置の手前をシークし、データ記録の中断位置に達したらデータ記録を再開し（Ｓ３６）、さらに描画の中断位置に達したらその位置またはその先の位置から描画動作を再開させる（Ｓ３７）ことにより行われる。
【００９７】
描画側でバッファアンダーラン状態が検出された場合の制御は図１４の制御フローについて説明したのと同じである。なお、描画側のバッファアンダーラン処理を実行中にデータ記録側でバッファアンダーラン接近状態が検出された場合は、データ記録を併せて中断し（Ｓ３３’）、データ記録側のバッファアンダーラン処理（Ｓ３４’）を併せて実行する。そして、記録データ用バッファメモリ１５Ａの転送待ち記録データのデータ量および画像データ用バッファメモリ１５Ｂの転送待ち画像データのデータ量がともに、十分とされる所定量に回復するのを待って、データ記録の中断位置からデータ記録を再開し（Ｓ３６）、これと同時またはその後に描画動作を再開させる（Ｓ３７）ことができる。
【００９８】
図２０は図１９の制御による、データ記録側でバッファアンダーラン接近状態が検出されたときの動作を示す。図２０の（ａ）はデータ記録層におけるデータ記録位置の軌跡を示し、（ｂ）は描画層における描画位置の軌跡を示す。この例では描画欠落区間が生じないようにしている。図２１は図２０の動作による記録・描画径方向位置の時間変化を示す（実線はデータ記録、一点鎖線は描画）。なお、図２１は見易くするために、データ記録と描画が同時に行われる領域（半径ｒ８〜ｒ９間、半径ｒ１０〜）について、データ記録の線と描画の線を離して図示しているが、実際にはこの領域においてデータ記録位置と描画位置は同一時刻には同一径方向位置にある。図２０の動作について図２１を参照しながら説明する。
【００９９】
（１）位置Ｐｏ９でデータ記録が開始される。
（２）描画基準線Ｌ上の位置Ｐｏ１１（ｒ８，０）（図１０の位置Ｐ１１）で描画が開始される。
（３）位置Ｐｏ１０（時刻Ｔ５）でデータ記録側のバッファアンダーラン接近状態が検出される。これにより、データ記録側の記録パワーをオフしてデータ記録を中断させる。描画はそのまま続行させる。
（４）データ記録側でバッファアンダーラン処理が実行される。これにより、ホストコンピュータ１３から記録データ用バッファメモリ１５Ａに記録データが補給されて、そのデータ量が、十分とされる所定量まで回復する。
（５）その後描画基準線Ｌ上の位置Ｐｏ１２（ｒ１０，０）（時刻Ｔ６）で描画を中断させる。
（６）データ記録の中断位置Ｐｏ１０をシークし（シーク時間ΔＴ）、該位置Ｐｏ１０からデータ記録を再開する（時刻Ｔ６＋ΔＴ）。記録されるデータは中断された直後のデータからである。これによりデータ欠落のない完全な書き継ぎが実現され、記録データの連続性を保つことができる。
（７）データ記録位置が描画中断位置Ｐｏ１２に到達するタイミング（時刻Ｔ７）で描画を再開させる。これにより、描画欠落のない完全な書き継ぎが実現され、形成される可視画像の連続性を保つことができる。
【図面の簡単な説明】
【０１００】
【図１】この発明が適用された描画機能付き光ディスク装置１０のシステム構成を示すブロック図である。
【図２】この発明の描画方法で使用できるＣＤ規格記録＋描画可能型光ディスクの層構造例および２本のレーザ光の合焦状態を示す模式断面図である。
【図３】図２のＣＤ規格記録＋描画可能型光ディスクの変形例および２本のレーザ光の合焦状態を示す模式断面図である。
【図４】この発明の描画方法で使用できるＤＶＤ規格記録＋描画可能型光ディスクの他の層構造例および２本のレーザ光の合焦状態を示す模式断面図である。
【図５】図１の光ピックアップ１６の光学系の構成例を示す模式図である。
【図６】液晶補正素子５３の構成例を示す正面図である。
【図７】液晶補正素子５３による合焦位置の調整動作を示す断面図である。
【図８】図１のサーボ回路３７におけるフォーカス制御、２ビームの合焦位置間距離調整制御、トラッキング制御、スレッド送り制御に関する部分の構成例を示すブロック図である。
【図９】図５のＣＤ用レーザダイオード５０と、ＤＶＤ用レーザダイオード５２の駆動回路（図１のＡＬＰＣ回路３９とレーザドライバ２７）の構成例を示すブロック図である。
【図１０】図１の光ディスク１２の描画層に描画する１枚の画像を構成する画素の配列例を示す模式図である。
【図１１】この発明による同時記録・描画の描画パルスの一例を示す波形図である。
【図１２】図１のシステム構成による同時記録・描画時の制御手順を示すフローチャートである。
【図１３】図１２の制御で考慮している同時記録・描画の２つのケースを示す模式図である。
【図１４】同時記録・描画時の図１の制御部１９によるバッファアンダーラン防止制御の制御フロー図である。
【図１５】図１４の制御による、データ記録側でバッファアンダーラン接近状態が検出されたときの動作を示す図である。
【図１６】図１５の動作による記録・描画径方向位置の時間変化を示す図である。
【図１７】図１４の制御による、描画側でバッファアンダーラン状態が検出されたときの動作を示す図である。
【図１８】図１７の動作による記録・描画径方向位置の時間変化を示す図である。
【図１９】同時記録・描画時の図１の制御部１９によるバッファアンダーラン防止制御の別の制御フロー図である。
【図２０】図１９の制御による、データ記録側でバッファアンダーラン接近状態が検出されたときの動作を示す図である。
【図２１】図２０の動作による記録・描画径方向位置の時間変化を示す図である。
【符号の説明】
【０１０１】
１０…描画機能付き光ディスク装置（光ディスク記録・描画装置）、１２…光ディスク、１２ａ…レーザ入射面、１２ｂ…レーベル面、１４…スピンドルモータ、１５Ａ…記録データ用バッファメモリ、１５Ｂ…画像データ用バッファメモリ、１６…光ピックアップ、１９…制御部（制御手段）、２０…ＣＤ用レーザ光、２２…ＤＶＤ用レーザ光、２６…描画層、２７…レーザドライバ（データ記録用ビーム変調手段、描画用ビーム変調手段）、３６…データ記録層、４１…記録データ供給系統、４３…画像データ供給系統、４５…記録データ用バッファアンダーラン接近状態検出手段、４７…画像データ用バッファアンダーラン状態検出手段
【図１】
2008033994.tif 000004
【図２】
2008033994.tif 000005
【図３】
2008033994.tif 000006
【図４】
2008033994.tif 000007
【図５】
2008033994.tif 000008
【図６】
2008033994.tif 000009
【図７】
2008033994.tif 000010
【図８】
2008033994.tif 000011
【図９】
2008033994.tif 000012
【図１０】
2008033994.tif 000013
【図１１】
2008033994.tif 000014
【図１２】
2008033994.tif 000015
【図１３】
2008033994.tif 000016
【図１４】
2008033994.tif 000017
【図１５】
2008033994.tif 000018
【図１６】
2008033994.tif 000019
【図１７】
2008033994.tif 000020
【図１８】
2008033994.tif 000021
【図１９】
2008033994.tif 000022
【図２０】
2008033994.tif 000023
【図２１】
2008033994.tif 000024